(57)【要約】【課題】利用者にとって有効な旅行支援情報を提供し旅行計画を作成できる旅行支援システム、旅行支援サーバ、旅行支援方法、および、プログラムを提供することを課題とする。【解決手段】本発明は、入力された訪問予定地情報を含む旅行計画情報を取得し、取得された訪問予定地情報が、記憶された他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得し、取得された移動経路と関連付けられた訪問地情報を含む旅行支援情報を作成し、作成された旅行支援情報を表示させる。【選択図】図１
2020129007.tif 000002
【特許請求の範囲】
【請求項１】
利用者が所望する訪問予定地に関する訪問予定地情報を含む旅行計画情報を取得する旅行計画情報取得手段と、
少なくとも一つ以上の上記訪問予定地を含む、好天時および悪天時の複数の訪問地に関する訪問地情報を取得する訪問地情報取得手段と、
上記旅行計画情報および上記訪問地情報に基づいて、上記訪問予定地を含む上記複数の訪問地の訪問順情報および上記訪問地間の移動手段の移動手段情報を含む、上記好天時の旅行支援情報、および、上記悪天時の代替旅行支援情報を作成する旅行支援情報作成手段と、
を備え、
上記代替旅行支援情報は、
上記悪天時に対応する上記移動手段情報を含むことを特徴とする、情報処理システム。
【請求項２】
請求項１に記載の情報処理システムであって、
上記訪問地情報取得手段は、
他の利用者の複数の訪問地の訪問順情報および上記他の利用者によって上記訪問地間の移動に用いられた移動手段の移動手段情報を含み、且つ、少なくとも一つ以上の上記訪問予定地を含む上記好天時および上記悪天時の上記他の利用者の複数の上記訪問地に関する上記訪問地情報を取得することを特徴とする、情報処理システム。
【請求項３】
端末装置に通信可能に接続されたサーバを、
上記端末装置から送信される、利用者が所望する訪問予定地に関する訪問予定地情報を含む旅行計画情報を取得する旅行計画情報取得手段、
少なくとも一つ以上の上記訪問予定地を含む、好天時および悪天時の複数の訪問地に関する訪問地情報を取得する訪問地情報取得手段、
上記旅行計画情報および上記訪問地情報に基づいて、上記訪問予定地を含む上記複数の訪問地の訪問順情報および上記訪問地間の移動手段の移動手段情報を含む、上記好天時の旅行支援情報、および、上記悪天時の代替旅行支援情報を作成する旅行支援情報作成手段、
として機能させ、
上記代替旅行支援情報は、
上記悪天時に対応する上記移動手段情報を含むことを特徴とする情報処理プログラム。
【請求項４】
通信可能に接続された複数の情報処理装置によって構成される情報処理システムを、
利用者が所望する訪問予定地に関する訪問予定地情報を含む旅行計画情報を取得する旅行計画情報取得手段と、
少なくとも一つ以上の上記訪問予定地を含む、好天時および悪天時の複数の訪問地に関する訪問地情報を取得する訪問地情報取得手段と、
上記旅行計画情報および上記訪問地情報に基づいて、上記訪問予定地を含む上記複数の訪問地の訪問順情報および上記訪問地間の移動手段の移動手段情報を含む、上記好天時の旅行支援情報、および、上記悪天時の代替旅行支援情報を作成する旅行支援情報作成手段と、
として機能させるための、
上記代替旅行支援情報は、
上記悪天時に対応する上記移動手段情報を含む情報処理プログラムであって、
上記複数の情報処理装置のうち１つの情報処理装置を、
上記手段のうち１つまたは複数の手段として機能させるための情報処理プログラム。
【請求項５】
通信可能に接続された複数の情報処理装置によって構成される、請求項１または２に記載の情報処理システムを機能させるための情報処理プログラムであって、
上記複数の情報処理装置のうち１つの情報処理装置を、
上記手段のうち１つまたは複数の手段として機能させるための情報処理プログラム。
【請求項６】
コンピュータを、
利用者が所望する訪問予定地に関する訪問予定地情報を含む旅行計画情報を取得する旅行計画情報取得手段、
少なくとも一つ以上の上記訪問予定地を含む、好天時および悪天時の複数の訪問地に関する訪問地情報を取得する訪問地情報取得手段、
上記旅行計画情報および上記訪問地情報に基づいて、上記訪問予定地を含む上記複数の訪問地の訪問順情報および上記訪問地間の移動手段の移動手段情報を含む、上記好天時の旅行支援情報、および、上記悪天時の代替旅行支援情報を作成する旅行支援情報作成手段、
として機能させ、
上記代替旅行支援情報は、
上記悪天時に対応する上記移動手段情報を含むことを特徴とする情報処理プログラム。
【請求項７】
旅行計画情報取得手段が、利用者が所望する訪問予定地に関する訪問予定地情報を含む旅行計画情報を取得するステップと、
訪問地情報取得手段が、少なくとも一つ以上の上記訪問予定地を含む、好天時および悪天時の複数の訪問地に関する訪問地情報を取得するステップと、
旅行支援情報作成手段が、上記旅行計画情報および上記訪問地情報に基づいて、上記訪問予定地を含む上記複数の訪問地の訪問順情報および上記訪問地間の移動手段の移動手段情報を含む、上記好天時の旅行支援情報、および、上記悪天時の代替旅行支援情報を作成するステップと、
を備え、
上記代替旅行支援情報は、
上記悪天時に対応する上記移動手段情報を含むことを特徴とする情報処理方法。
【発明の詳細な説明】
【技術分野】
【０００１】
本発明は、情報処理システム、情報処理方法、および、情報処理プログラムに関する。
【背景技術】
【０００２】
従来から、他の人が立寄った場所を案内する技術が開示されている。
【０００３】
例えば、特許文献１に記載の立寄施設情報提示システムにおいては、ユーザが設定した目的地情報と、ユーザ以外の他人の訪問施設情報と、訪問施設を訪問する前に立ち寄った立寄施設情報と、に基づいて目的施設を訪問施設とする立寄施設のリストを作成する技術が開示されている。
【先行技術文献】
【特許文献】
【０００４】
【特許文献１】特開２０１１−２５７３７０号公報
【発明の概要】
【発明が解決しようとする課題】
【０００５】
しかしながら、特許文献１等に記載の従来の立寄施設情報提示システムにおいては、他人の利用履歴を集計した結果を提示されるだけで利用者にとって実際に役立つ情報であるか否かはわからないという問題点を有していた。
【０００６】
本発明は、上記問題点に鑑みてなされたもので、利用者にとって有効な旅行支援情報を提供し旅行計画を作成できる旅行支援システム、旅行支援サーバ、旅行支援方法、および、プログラムを提供することを目的とする。
【課題を解決するための手段】
【０００７】
このような目的を達成するため、本発明の旅行支援システムは、他の利用者の旅行情報を記憶する旅行情報記憶手段と、入力部を介して入力された訪問予定地情報を含む旅行計画情報を取得する旅行計画情報取得手段と、上記旅行計画情報取得手段により取得された上記訪問予定地情報が、上記旅行情報記憶手段に記憶された上記他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得手段と、上記訪問地情報取得手段により取得された、上記移動経路と関連付けられた上記訪問地情報を含む旅行支援情報を作成する旅行支援情報作成手段と、上記旅行支援情報作成手段により作成された上記旅行支援情報を表示部に表示させる旅行支援情報表示手段と、を備えたことを特徴とする。
【０００８】
また、本発明の旅行支援システムは、上記記載の旅行支援システムにおいて、上記旅行支援情報作成手段は、上記訪問地情報取得手段により取得された上記訪問地情報を所定条件に基づき選択し、当該選択された上記訪問地情報を含む上記旅行支援情報を作成することを特徴とする。
【０００９】
また、本発明の旅行支援システムは、上記旅行支援情報作成手段は、上記訪問地情報取得手段により取得された、上記移動経路と関連付けられた上記訪問地情報を所定条件に基づき集計し、当該集計された上記訪問地情報を含む上記旅行支援情報を作成することを特徴とする。
【００１０】
また、本発明の旅行支援システムは、上記記載の旅行支援システムにおいて、上記旅行支援情報作成手段は、更に、上記訪問地情報取得手段により取得された上記訪問地情報に基づく上記訪問地に関連付けられた上記移動経路に基づいて、上記訪問予定地と上記訪問地との間の移動手段に関する移動手段情報、および／または、所要時間を含む上記旅行支援情報を作成することを特徴とする。
【００１１】
また、本発明の旅行支援システムは、上記記載の旅行支援システムにおいて、上記旅行計画情報は、更に、出発地情報および目的地情報を含み、上記旅行支援情報作成手段は、更に、上記訪問地情報取得手段により取得された上記訪問地情報と、上記出発地情報または上記目的地情報と、が一致しない場合、当該訪問地情報に基づく上記訪問地に関連付けられた上記移動経路を含む、上記出発地情報に基づく出発地から上記目的地情報に基づく目的地までの最適経路を探索し、当該最適経路に関する経路情報を含む上記旅行支援情報を作成することを特徴とする。
【００１２】
また、本発明の旅行支援システムは、上記記載の旅行支援システムにおいて、上記訪問地情報取得手段は、上記旅行計画情報取得手段により取得された上記訪問予定地情報が、上記旅行情報記憶手段に記憶された上記他の利用者の旅行情報に含まれる場合、天候、および／または、移動手段に基づき、当該他の利用者の旅行情報に含まれる、当該訪問予定地情報に基づく上記訪問予定地を含む、上記移動経路と関連付けられた、上記訪問地に関する上記訪問地情報を取得することを特徴とする。
【００１３】
また、本発明の旅行支援システムは、制御部と記憶部とを少なくとも備えた旅行支援サーバ、および、表示部と入力部と制御部とを少なくとも備えた端末装置、を通信可能に接続した旅行支援システムであって、上記旅行支援サーバの上記記憶部は、他の利用者の旅行情報を記憶する旅行情報記憶手段、を備え、上記旅行支援サーバの上記制御部は、上記端末装置の上記入力部を介して入力され、上記端末装置から送信された旅行計画情報に含まれる訪問予定地情報が、上記旅行情報記憶手段に記憶された上記他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得手段と、上記訪問地情報取得手段により取得された、上記移動経路と関連付けられた上記訪問地情報を含む旅行支援情報を作成する旅行支援情報作成手段と、上記旅行支援情報作成手段により作成された上記旅行支援情報を上記端末装置に送信する旅行支援情報送信手段と、を備え、上記端末装置の上記制御部は、上記旅行支援サーバから送信された上記旅行支援情報を受信する旅行支援情報受信手段と、上記旅行支援情報を上記表示部に表示させる旅行支援情報表示手段と、を備えたことを特徴とする。
【００１４】
また、本発明の旅行支援サーバは、表示部と入力部とを少なくとも備えた端末装置に通信可能に接続された、制御部と記憶部とを少なくとも備えた旅行支援サーバであって、上記記憶部は、他の利用者の旅行情報を記憶する旅行情報記憶手段、を備え、上記制御部は、上記端末装置の上記入力部を介して入力され、上記端末装置から送信された旅行計画情報に含まれる訪問予定地情報が、上記旅行情報記憶手段に記憶された上記他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得手段と、上記訪問地情報取得手段により取得された、上記移動経路と関連付けられた上記訪問地情報を含む旅行支援情報を作成する旅行支援情報作成手段と、上記旅行支援情報作成手段により作成された上記旅行支援情報を含む表示情報を生成する表示情報生成手段と、上記表示情報を含む出力制御情報を上記端末装置へ送信することにより、当該表示情報を当該端末装置の上記表示部に表示させる出力制御手段と、を備えたことを特徴とする。
【００１５】
また、本発明の旅行支援方法は、旅行支援システムにおいて実行される旅行支援方法であって、上記旅行支援システムは、他の利用者の旅行情報を記憶する旅行情報記憶手段と、旅行計画情報取得手段と、訪問地情報取得手段と、旅行支援情報作成手段と、旅行支援情報表示手段と、を備え、上記旅行計画情報取得手段が、入力部を介して入力された訪問予定地情報を含む旅行計画情報を取得する旅行計画情報取得ステップと、上記訪問地情報取得手段が、上記旅行計画情報取得ステップにて取得された上記訪問予定地情報が、上記旅行情報記憶手段に記憶された上記他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得ステップと、上記旅行支援情報作成手段が、上記訪問地情報取得ステップにて取得された、上記移動経路と関連付けられた上記訪問地情報を含む旅行支援情報を作成する旅行支援情報作成ステップと、上記旅行支援情報表示手段が、上記旅行支援情報作成ステップにて作成された上記旅行支援情報を表示部に表示させる旅行支援情報表示ステップと、を含むことを特徴とする。
【００１６】
また、本発明の旅行支援方法は、制御部と記憶部とを少なくとも備えた旅行支援サーバ、および、表示部と入力部と制御部とを少なくとも備えた端末装置、を通信可能に接続した旅行支援システムにおいて実行される旅行支援方法であって、上記旅行支援サーバの上記記憶部は、他の利用者の旅行情報を記憶する旅行情報記憶手段、を備え、上記旅行支援サーバの上記制御部において実行される、上記端末装置の上記入力部を介して入力され、上記端末装置から送信された旅行計画情報に含まれる訪問予定地情報が、上記旅行情報記憶手段に記憶された上記他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得ステップと、上記旅行支援サーバの上記制御部において実行される、上記訪問地情報取得ステップにて取得された、上記移動経路と関連付けられた上記訪問地情報を含む旅行支援情報を作成する旅行支援情報作成ステップと、上記旅行支援サーバの上記制御部において実行される、上記旅行支援情報作成ステップにて作成された上記旅行支援情報を上記端末装置に送信する旅行支援情報送信ステップと、上記端末装置の上記制御部において実行される、上記旅行支援サーバから送信された上記旅行支援情報を受信する旅行支援情報受信ステップと、上記端末装置の上記制御部において実行される、上記旅行支援情報を上記表示部に表示させる旅行支援情報表示ステップと、を含むことを特徴とする。
【００１７】
また、本発明の旅行支援方法は、表示部と入力部とを少なくとも備えた端末装置に通信可能に接続された、制御部と記憶部とを少なくとも備えた旅行支援サーバにおいて実行される旅行支援方法であって、上記記憶部は、他の利用者の旅行情報を記憶する旅行情報記憶手段、を備え、上記制御部において実行される、上記端末装置の上記入力部を介して入力され、上記端末装置から送信された旅行計画情報に含まれる訪問予定地情報が、上記旅行情報記憶手段に記憶された上記他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得ステップと、上記訪問地情報取得ステップにて取得された、上記移動経路と関連付けられた上記訪問地情報を含む旅行支援情報を作成する旅行支援情報作成ステップと、上記旅行支援情報作成ステップにて作成された上記旅行支援情報を含む表示情報を生成する表示情報生成ステップと、上記表示情報を含む出力制御情報を上記端末装置へ送信することにより、当該表示情報を当該端末装置の上記表示部に表示させる出力制御ステップと、を含むことを特徴とする。
【００１８】
また、本発明のプログラムは、表示部と入力部と制御部と記憶部とを少なくとも備えた旅行支援装置に実行させるためのプログラムであって、上記記憶部は、他の利用者の旅行情報を記憶する旅行情報記憶手段、を備え、上記制御部において、上記入力部を介して入力された訪問予定地情報を含む旅行計画情報を取得する旅行計画情報取得ステップと、上記旅行計画情報取得ステップにて取得された上記訪問予定地情報が、上記旅行情報記憶手段に記憶された上記他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得ステップと、上記訪問地情報取得ステップにて取得された、上記移動経路と関連付けられた上記訪問地情報を含む旅行支援情報を作成する旅行支援情報作成ステップと、上記旅行支援情報作成ステップにて作成された上記旅行支援情報を上記表示部に表示させる旅行支援情報表示ステップと、を実行させることを特徴とする。
【００１９】
また、本発明のプログラムは、表示部と入力部とを少なくとも備えた端末装置に通信可能に接続された、制御部と記憶部とを少なくとも備えた旅行支援サーバに実行させるためのプログラムであって、上記記憶部は、他の利用者の旅行情報を記憶する旅行情報記憶手段、を備え、上記制御部において、上記端末装置の上記入力部を介して入力され、上記端末装置から送信された旅行計画情報に含まれる訪問予定地情報が、上記旅行情報記憶手段に記憶された上記他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得ステップと、上記訪問地情報取得ステップにて取得された、上記移動経路と関連付けられた上記訪問地情報を含む旅行支援情報を作成する旅行支援情報作成ステップと、上記旅行支援情報作成ステップにて作成された上記旅行支援情報を上記端末装置に送信する旅行支援情報送信ステップと、を実行させることを特徴とする。
【００２０】
また、本発明のプログラムは、表示部と入力部とを少なくとも備えた端末装置に通信可能に接続された、制御部と記憶部とを少なくとも備えた旅行支援サーバに実行させるためのプログラムであって、上記記憶部は、他の利用者の旅行情報を記憶する旅行情報記憶手段、を備え、上記制御部において、上記端末装置の上記入力部を介して入力され、上記端末装置から送信された旅行計画情報に含まれる訪問予定地情報が、上記旅行情報記憶手段に記憶された上記他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得ステップと、上記訪問地情報取得ステップにて取得された、上記移動経路と関連付けられた上記訪問地情報を含む旅行支援情報を作成する旅行支援情報作成ステップと、上記旅行支援情報作成ステップにて作成された上記旅行支援情報を含む表示情報を生成する表示情報生成ステップと、上記表示情報を含む出力制御情報を上記端末装置へ送信することにより、当該表示情報を当該端末装置の上記表示部に表示させる出力制御ステップと、を実行させることを特徴とする。
【発明の効果】
【００２１】
この発明によれば、入力された訪問予定地情報を含む旅行計画情報を取得し、取得された訪問予定地情報が、記憶された他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得し、取得された移動経路と関連付けられた訪問地情報を含む旅行支援情報を作成し、作成された旅行支援情報を表示させるので、他のユーザの旅行情報を活用して、旅行計画を作成することができるという効果を奏する。また、この発明によれば、作成した旅行計画が次の旅行情報に活用されることから、システムを利用すれば利用するほど旅行情報が充実し、よりよい旅行情報を提供できるようになり、さらに旅行情報が集まるという好循環が得られるという効果を奏する。
【００２２】
また、この発明によれば、取得された訪問地情報を所定条件に基づき選択し、当該選択された訪問地情報を含む旅行支援情報を作成するので、ユーザの嗜好にあった訪問地を優先的に提示することができるという効果を奏する。
【００２３】
また、この発明によれば、取得された移動経路と関連付けられた訪問地情報を所定条件に基づき集計し、当該集計された訪問地情報を含む旅行支援情報を作成するので、他のユーザの統計情報を活用した旅行支援情報を作成することができるという効果を奏する。
【００２４】
また、この発明によれば、更に、取得された訪問地情報に基づく訪問地に関連付けられた移動経路に基づいて、訪問予定地と訪問地との間の移動手段に関する移動手段情報、および／または、所要時間を含む旅行支援情報を作成するので、ユーザが立寄る地点間の旅程を的確に把握することを可能とするという効果を奏する。
【００２５】
また、この発明によれば、更に、取得された訪問地情報と、出発地情報または目的地情報と、が一致しない場合、当該訪問地情報に基づく訪問地に関連付けられた移動経路を含む、出発地情報に基づく出発地から目的地情報に基づく目的地までの最適経路を探索し、当該最適経路に関する経路情報を含む旅行支援情報を作成するので、ユーザが最短時間で訪問予定地を廻ることができる経路を提示することができるという効果を奏する。
【００２６】
また、この発明によれば、取得された訪問予定地情報が、記憶された他の利用者の旅行情報に含まれる場合、天候、および／または、移動手段に基づき、当該他の利用者の旅行情報に含まれる、当該訪問予定地情報に基づく訪問予定地を含む、移動経路と関連付けられた、訪問地に関する訪問地情報を取得するので、季節等により変化する自然環境、および、ユーザの体調などに適した旅行支援情報を提供することができるという効果を奏する。
【００２７】
なお、上記において、本発明の旅行支援システムを一例に効果の説明をしたが、旅行支援サーバ、旅行支援方法、および、プログラムにおいても同様の効果を奏する。
【図面の簡単な説明】
【００２８】
【図１】図１は、第１の実施形態における旅行支援システムの構成の一例を示すブロック図である。
【図２】図２は、第１の実施形態における旅行支援システムの処理の一例を示すフローチャートである。
【図３】図３は、本実施形態における入力画面の一例を示す図である。
【図４】図４は、本実施形態における入力画面の一例を示す図である。
【図５】図５は、本実施形態における移動履歴情報の一例を示す図である。
【図６】図６は、本実施形態における移動履歴情報を用いた訪問地情報取得処理の一例を示す図である。
【図７】図７は、本実施形態における移動履歴情報を用いた訪問地情報取得処理の一例を示す図である。
【図８】図８は、本実施形態における訪問地と関連付けられた移動経路の一例を示す図である。
【図９】図９は、本実施形態における表示画面の一例を示す図である。
【図１０】図１０は、本実施形態における表示画面の一例を示す図である。
【図１１】図１１は、本実施形態における表示画面の一例を示す図である。
【図１２】図１２は、本実施形態における表示画面の一例を示す図である。
【図１３】図１３は、本実施形態における参考情報の一例を示す図である。
【図１４】図１４は、第２の実施形態における旅行支援システムの構成の一例を示すブロック図である。
【図１５】図１５は、第２の実施形態における旅行支援システムの処理の一例を示すフローチャートである。
【図１６】図１６は、第３の実施形態における旅行支援装置の構成の一例を示すブロック図である。
【図１７】図１７は、第３の実施形態における旅行支援装置の処理の一例を示すフローチャートである。
【発明を実施するための形態】
【００２９】
以下に、本発明にかかる旅行支援システム、端末装置、旅行支援サーバ、旅行支援方法、および、プログラムの実施の形態を図面に基づいて詳細に説明する。なお、この実施の形態によりこの発明が限定されるものではない。
【００３０】
以下、本発明における旅行支援システムの構成および処理について、第１の実施形態、第２の実施形態、第３の実施形態の順にて詳細に説明する。
【００３１】
［第１の実施形態］
最初に、本発明の第１の実施形態について、図１乃至図１３を参照して以下に説明する。但し、以下に示す第１の実施形態は、本発明の技術思想を具体化するための旅行支援システムを例示するものであって、本発明をこの旅行支援システムに特定することを意図するものではなく、特許請求の範囲に含まれるその他の実施形態の旅行支援システムにも等しく適用し得るものである。例えば、第１の実施形態で例示する旅行支援システムにおけるサーバ側と端末側の機能分散の形態は以下に限られず、同様の効果や機能を奏し得る範囲において、任意の単位で機能的または物理的に分散・統合して構成することができる。
【００３２】
［旅行支援システムの構成］
まず、第１の実施形態における旅行支援システムの構成の一例について、図１を参照して以下に説明する。図１は、第１の実施形態における旅行支援システムの構成の一例を示すブロック図であり、該構成のうち本発明に関係する部分のみを概念的に示している。なお、本実施形態においては、通信型のナビゲーションを提供する旅行支援システムを具体例として説明するが、本発明はこれに限ることなく、スタンドアローンタイプの旅行支援システムなどにも適用可能である。
【００３３】
図１に示すように、第１の実施形態の旅行支援システムは、概略的に、地図情報提供および経路探索等を行うことができる旅行支援サーバ２００、および、単数または複数の経路案内アプリケーションおよび乗換案内アプリケーション等を搭載した端末装置１００、を通信可能に接続して構成される。ここで、図１に示すように、通信には、一例として、ネットワーク３００を介した有線・無線通信等の遠隔通信等を含む。また、これら旅行支援システムの各部は任意の通信路を介して通信可能に接続されている。
【００３４】
図１に示すように、第１の実施形態の旅行支援システムにおいて、旅行支援サーバ２００は、概略的に、制御部２０２と記憶部２０６とを少なくとも備えており、端末装置１００は、位置取得部１１２と出力部（表示部１１４および音声出力部１１６）と入力部１１８と制御部１０２と記憶部１０６とを少なくとも備える。
【００３５】
［旅行支援サーバ２００の構成］
ここで、図１において、旅行支援サーバ２００は、端末装置１００の入力部１１８を介して入力され、端末装置１００から送信された旅行計画情報に含まれる訪問予定地情報が、記憶部２０６に記憶された他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得し、取得された移動経路と関連付けられた訪問地情報を含む旅行支援情報を作成し、作成された旅行支援情報を端末装置１００に送信する等の機能を有する。旅行支援サーバ２００は、通信制御インターフェース部２０４を介してネットワーク３００を経由し、端末装置１００と相互に通信可能に接続されており、制御部２０２と記憶部２０６とを備える。制御部２０２は、各種処理を行う制御手段である。通信制御インターフェース部２０４は、通信回線や電話回線等に接続されるアンテナやルータ等の通信装置（図示せず）に接続されるインターフェースであり、旅行支援サーバ２００とネットワーク３００との間における通信制御を行う機能を有する。すなわち、通信制御インターフェース部２０４は、端末装置１００等と通信回線を介してデータを通信する機能を有している。記憶部２０６は、ＨＤＤ（Ｈａｒｄ  Ｄｉｓｋ  Ｄｒｉｖｅ）等の固定ディスク装置またはＳＳＤ（Ｓｏｌｉｄ  Ｓｔａｔｅ  Ｄｒｉｖｅ）等のストレージ手段であり、各種のデータベースやテーブル（旅行情報データベース２０６ａ、ネットワーク情報データベース２０６ｂ、交通情報データベース２０６ｃ、地図情報データベース２０６ｄ、および、案内情報データベース２０６ｅ等）を格納する。
【００３６】
これら記憶部２０６の各構成要素のうち、旅行情報データベース２０６ａは、他の利用者の旅行情報を記憶する旅行情報記憶手段である。ここで、旅行情報は、移動履歴情報、旅行計画情報、および、地点検索履歴情報等を含んでいてもよい。ここで、移動履歴情報は、他の利用者（ユーザ）の現在位置の測位履歴に関する情報であってもよい。また、移動履歴情報は、他の利用者が訪問地（ＰＯＩ等のスポット）に立ち寄った際のチェックイン情報であってもよい。また、旅行情報は、他の利用者が過去に投稿した情報であってもよく、当該他の利用者に対してメッセージを通知し、情報提供を要求して得た情報であってもよい。また、旅行情報データベース２０６ａは、利用者の過去の旅行情報を、他の利用者の旅行情報として記憶していてもよい。
【００３７】
また、ネットワーク情報データベース２０６ｂは、ネットワークに関するネットワーク情報を記憶するネットワーク情報記憶手段である。ここで、ネットワーク情報は、交通網を規定するネットワークに関する情報であってもよい。また、ネットワーク情報は、交通網表現上の結節点であるノードと、当該ノード間を接続するリンクと、の組み合わせによって表現されるネットワークに関する情報、すなわち、ノード情報とリンク情報との組み合わせであってもよい。また、ノード情報には、ノードを示すアイコン等のウィジェットを含んでいてもよい。また、ネットワーク情報は、道路ネットワーク情報、路線網ネットワーク情報、および、施設内ネットワーク情報を含んでいてもよい。また、ネットワーク情報データベース２０６ｂは、複数のネットワークが接続する接続位置である接続ノードに関するノード情報である接続ノード情報を記憶していてもよい。これらネットワーク情報は、ネットワーク情報データベース２０６ｂに予め記憶されており、旅行支援サーバ２００の制御部２０２は、定期的に、および／または、制御部２０２による処理に応じて（例えば、制御部２０２においてデータが必要となる契機等に）ネットワーク３００を介して最新のデータを外部機器（例えば、地図情報を提供する地図提供サーバなど）等からダウンロードしてネットワーク情報データベース２０６ｂに記憶されたネットワーク情報をアップデートしてもよい。
【００３８】
ここで、ネットワーク情報に含まれる道路ネットワーク情報は、道路網を規定するネットワーク情報であり、例えば、交差点等の道路網表現上の結節点であるノードに関するノード情報と、ノード間の道路区間であるリンクに関するリンク情報との組み合わせによって表現されるネットワーク情報である。ここで、道路ネットワーク情報は、自動車、自転車、もしくは、徒歩に対応する道路種別（例えば、高速自動車国道、自動車専用道路、一般道、自転車専用道路、または、歩行者専用道路等）毎にネットワーク情報データベース２０６ｂに格納されていてもよい。また、ノード情報には、ノード番号（例えば、ノードＩＤ等）、ノードの名称、緯度経度高度等の位置座標等の位置情報、ノード種別、接続するリンク本数、接続ノード番号、および、交差点名称等の情報を含んでいてもよい。また、リンク情報には、リンク番号（例えば、リンクＩＤ等）、開始ノードＩＤ、終了ノードＩＤ、道路の種別、国道や県道や市道等の路線番号、重用する路線情報、リンクの存在する行政区域の属性情報、リンク長（例えば、距離等）、道路供用状況、異常気象時通行規制区間、車重制限、車両高さ制限、幅員、道路幅員区分、レーン情報（例えば、車線数、路線バス専用通行帯、二輪専用通行帯、および、二輪・軽車両専用通行帯等の専用通行帯、路線バス等優先通行帯、自転車専用通行帯、車両通行区分、ならびに、進行方向別通行区分などについての車両通行帯情報等）、中央分離帯を含む中央線の設置情報、歩行路（例えば、歩道、自転車道、歩行者専用道路、自転車専用道路、自転車歩行者専用道路、自転車歩行者道、または、路側帯等）に関する歩行路情報（例えば、歩行路の設置情報、および、設置位置に関する位置情報等を含む）、横断路（例えば、横断歩道、歩道橋、および、地下道等）に関する横断路情報（例えば、横断路の設置情報、および、設置位置に関する位置情報等を含む）、制限速度、車線変更規制、高架、トンネルおよび橋等のリンク内属性、ならびに、名称（例えば、道路名称等）等の情報を含んでいてもよい。また、道路ネットワーク情報は、利用料金データ等を含んでいてもよい。ここで、利用料金データは、自動車およびオートバイ等で移動する場合に消費する燃料料金、ならびに、高速自動車国道および自動車専用道路等の有料道路の通行料金等を表す情報等であってもよい。また、道路ネットワーク情報は、自動車、オートバイ、自転車、および、徒歩等で移動する場合の経路上に存在する施設等の緯度経度情報などの位置情報等を記憶してもよい。
【００３９】
また、ネットワーク情報に含まれる路線網ネットワーク情報は、鉄道、飛行機、バス、および、船等の各交通機関（例えば、公共交通機関等）の路線網を規定するネットワーク情報であり、例えば、路線網表現上の結節点であるノード（例えば、交通機関の停留地点である駅、停留場、停車場、停留所、空港、港、および、ターミナル等）に関するノード情報（例えば、停留地点情報）と、ノード間を接続するリンク（例えば、鉄道路線、航空路線、航路、および、バス路線等）に関するリンク情報（例えば、運行経路情報を含む路線情報等）との組み合わせによって表現されるネットワーク情報である。ここで、路線網ネットワーク情報は、運行会社毎、路線毎、路線を運行する公共交通機関毎にネットワーク情報データベース２０６ｂに格納されていてもよい。また、路線とは、交通機関が通過する出発地と目的地とを結ぶ線であってもよい。また、運行経路情報は、交通機関の路線が設定された交通機関が実際に移動する運行経路に関する情報であって、当該運行経路の位置情報を含んでいてもよい。また、鉄道とは、ルート上に設置された固定式案内路（レール、および案内軌条など）等に誘導されて走行し、旅客や貨物等を輸送する交通機関であり、例えば、電車、市電、ロープウェイ、モノレール、ケーブルカー、および、リニアモーターカー等であってもよい。また、ノード情報には、ノード番号（例えば、ノードＩＤ等）、ノードの名称（例えば、交通機関の停留地点の名称である駅名、停留場名、停車場名、停留所名、空港名、港名、および、ターミナルの名称等）、および、緯度経度高度などの位置情報などの情報を含んでいてもよい。また、リンク情報には、リンク番号（例えば、リンクＩＤ等）、開始ノードＩＤ、終了ノードＩＤ、種別、リンク長（例えば、距離等）、高架、トンネルおよび橋等のリンク内属性、リンクの名称（例えば、路線名など）、ならびに、緯度経度高度などの位置情報等の情報を含んでいてもよい。また、路線網ネットワーク情報は、更に、交通機関の種別（例えば、特急、急行、準急、快速、快速急行、通勤特急、通勤快速、通勤急行、区間急行、区間準急、区間快速、各駅停車、および、普通など）に対応したノード（例えば、急行停車駅、準急停車駅、および、快速停車駅等）に関するノード情報と、当該ノード間を接続する鉄道路線、および、バス路線等のリンクに関するリンク情報との組み合わせによって表現されるネットワーク情報を当該種別に対応付けて含んでいてもよい。
【００４０】
また、路線網ネットワーク情報は、交通機関の乗降場所（例えば、駅のプラットホーム等）の位置情報（例えば、緯度経度高度等）、形状情報、配置情報（例えば、島式ホームおよび相対式ホーム等）、および、属性情報（例えば、プラットホーム番号などの乗降場所の名称および識別番号等）などを含む乗降場所情報を含んでいてもよい。また、路線網ネットワーク情報は、交通機関の利用運賃料金データを含んでいてもよい。ここで、利用運賃料金データは、例えば、鉄道、飛行機、バス、および、船等の各交通機関を利用した場合に生じる運賃および料金等を表す情報等であってもよい。また、路線網ネットワーク情報は、乗車位置データを含んでいてもよい。ここで、乗車位置データは、例えば、電車、市電、モノレール、ケーブルカー、および、リニアモーターカー等の複数の車両が連結した交通機関の乗車位置（一例として、改札口に近い車両、乗換に便利な位置の車両、混雑率の低い車両、および、女性専用車両等）を表す情報等であってもよい。
【００４１】
また、ネットワーク情報に含まれる施設内ネットワーク情報は、施設内の経路網を規定するネットワーク情報である。ここで、施設内ネットワーク情報は、例えば、建造物内の店舗、会社、事務所、およびトイレ等の出入口、エレベータおよびエスカレータの乗降口、階段の出入口、飛行機等の搭乗口、駅のプラットホーム上の電車等の乗車位置、ならびに、駅の改札口等の、通路等を接続する結節点であるノードに関するノード情報と、ノード間を接続する通路、階段、動く歩道、エスカレータ、および、エレベータ等であるリンクに関するリンク情報との組み合わせによって表現されるネットワーク情報である。ここで、ノード情報には、ノード番号（例えば、ノードＩＤ等）、ノードの名称（出入口名および乗降口名等）、緯度経度高度等の位置座標等の位置情報、ノード種別（例えば、出入口、乗降口、通路の曲がり角、および通路の分岐点等）、接続するリンク本数、および、接続ノード番号等の情報を含んでいてもよい。また、リンク情報には、リンク番号（例えば、リンクＩＤ等）、開始ノードＩＤ、終了ノードＩＤ、リンク長、幅員、リンク種別（例えば、ノード間を接続する通路、階段、スロープ、エスカレータ、エレベータ、および動く歩道など）、および、バリアフリー化の情報を含んでいてもよい。ここで、施設とは、駅、オフィスビル、ホテル、デパート、スーパーマーケット、博物館、美術館、学校、水族館、地下通路、立体駐車場、地下駐車場、および、地下街等の屋内建造物であってもよい。また、施設とは、バスターミナル、公園、遊園地、キャンプ場、連絡通路、屋外駐車場、および、動物園等の屋外建造物であってもよい。
【００４２】
また、交通情報データベース２０６ｃは、交通情報を記憶する交通情報記憶手段である。ここで、交通情報は、交通機関の時刻表に関する時刻表情報を含んでいてもよい。ここで、時刻表情報は、交通機関の停留地点毎の時刻表に関する停留地点時刻表情報、および、交通機関毎の運行時刻表に関する運行時刻表情報を含んでいてもよい。また、時刻表情報は、鉄道、飛行機、バス、および、船等の各交通機関の時刻表を表す情報であってもよい。また、時刻表情報は、更に、路線上のノード（すなわち、交通機関の停留地点）における交通機関の発着時刻（例えば、出発、経由、および到着の予定時刻など）、交通機関の路線の名称、および、交通機関の路線上のノード（すなわち、交通機関の停留地点）の名称等の属性情報を含む情報であってもよい。また、時刻表情報は、交通機関の路線上のノードを結ぶ区間（例えば、一つまたは複数のリンク等）毎に対応付けられた交通機関の属性情報（例えば、種別および行先情報等）を含んでいてもよい。また、時刻表情報は、各交通機関の乗降に用いられる乗降場所の名称および識別番号（例えば、プラットホーム番号など）等の乗降場所の属性情報を含んでいてもよい。また、停留地点時刻表情報は、停留地点単位の時刻表情報（例えば、各停留地点を経由する交通機関の到着時刻を定めた時刻表情報等）であってもよい。また、運行時刻表情報は、交通機関単位の時刻表情報（例えば、各交通機関が経由する停留地点の経由時刻を定めた時刻表情報等）であってもよい。また、交通情報は、交通機関の運行情報（例えば、遅延情報等）を含んでいてもよく、例えば、運行情報は、鉄道運行情報、航空運行情報、船舶運行情報、および、バス運行情報等を含んでいてもよい。なお、運行情報は、路線または運行便毎の、経由する停留地点およびその経由予定時刻に関する情報を含んでいてもよい。また、時刻表情報は、更に、交通機関の行先情報（例えば、最終行先情報など）、および、交通機関の種別（例えば、特急、急行、準急、快速、快速急行、通勤特急、通勤快速、通勤急行、区間急行、区間準急、区間快速、各駅停車、および、普通など）を含む情報であってもよい。
【００４３】
また、交通情報は、道路交通情報を含んでいてもよい。ここで、道路交通情報は、渋滞発生地点や渋滞距離や道路上の二地点間の通過時間（すなわち、旅行時間など）等の渋滞情報を含んでいてもよい。また、道路交通情報は、交通障害情報や交通規制情報等を含んでいてもよい。ここで、交通規制情報は、各種の交通規制を定義するデータであり、例えば、降水量規制、積雪・凍結規制、超波規制、風速規制、および視程規制等の異常気象時通行規制、高さ規制および重量規制等の車両通行規制、道路工事や作業、道路周辺の工事に伴う工事時規制、時間帯や車種により通行できる通行帯を規制している通行帯規制および道路の損壊等による車両通行止、交通の安全を確保するために設置されるコミュニティ・ゾーン等による一般車の進入禁止、ならびに、私有地への接続路であることによる一般車の進入禁止等の情報などを含んでもよい。また、交通規制情報は、工事、事故、または、車両故障等により車両通行帯等が走行不能または走行困難となる通行規制情報であってもよい。また、これら交通情報は、交通情報データベース２０６ｃに予め記憶されており、旅行支援サーバ２００の制御部２０２は、定期的（例えば、５分毎等）に、および／または、制御部２０２による処理に応じて（例えば、制御部２０２においてデータが必要となる契機等に）ネットワーク３００を介して最新のデータを外部システム（例えば、警察庁、ＶＩＣＳ（登録商標）（Ｖｅｈｉｃｌｅ  Ｉｎｆｏｒｍａｔｉｏｎ  ａｎｄ  Ｃｏｍｍｕｎｉｃａｔｉｏｎ  Ｓｙｓｔｅｍ）、および、ＡＴｉＳ（登録商標）（Ａｄｖａｎｃｅｄ  Ｔｒａｆｆｉｃ  Ｉｎｆｏｒｍａｔｉｏｎ  Ｓｅｒｖｉｃｅ）、日本道路交通情報センター（登録商標）（ＪＡＲＴＩＣ（登録商標））、鉄道会社、バス会社、および、交通情報配信サーバ（サービス）など）等からダウンロードして交通情報データベース２０６ｃに記憶された交通情報をアップデートしてもよい。
【００４４】
また、地図情報データベース２０６ｄは、地図に関する地図情報を記憶する地図情報記憶手段である。ここで、地図情報データベース２０６ｄは、複数の縮尺の地図に関する地図情報、または、複数の縮尺の地図に対応可能な地図情報を記憶していてもよい。すなわち、地図情報は、複数の縮尺のラスタ形式の地図描画用の画像、または、ベクタ形式の地図描画用の画像等を含んでいてもよい。ここで、地図情報は、例えば、縮尺に従ってメッシュ化された地図情報（例えば、ＪＩＳ規格の第１〜３次地域区画メッシュデータ、および、１００ｍメッシュデータ等）等の屋外地図情報であってもよい。また、地図情報は、全国および各地方の道路地図情報等の屋外地図情報を含んでいてもよい。また、地図情報データベース２０６ｄは、公共交通機関の路線図に関する路線図情報を記憶していてもよい。また、地図情報は、例えば、高さ情報を持つ建築物（例えば、立体駐車場、駅、デパート、および、学校等）に関するフロア案内地図等の屋内地図情報を含んでいてもよい。また、地図情報データベース２０６ｄは、地図情報と、当該地図情報を一意に識別する地図ＩＤ（例えば、メッシュ番号等）と、を対応付けて記憶してもよい。
【００４５】
また、地図情報データベース２０６ｄは、更に、地図上に表示される地図オブジェクトに関する地図オブジェクト情報を記憶していてもよい。ここで、地図オブジェクト情報は、地図上に表示される地物（例えば、ビル、住宅、および、駅等の建造物、道路、線路、橋、トンネル、等高線、海岸線、および、湖岸線等の水涯線、海、河川、湖、池、沼、公園、および、屋外施設等の場地、行政界、行政区域、ならびに、街区等）の形状についての形状情報（ポリゴン、または、ポリライン等）、地図上に表示される注記（例えば、地名、住所、電話番号、店舗、公園、ビル、および、駅等の施設名称、名所、旧跡、河川、湖、湾、山、および、森林等の俗称を含む名称、道路、橋、および、トンネル等の名称、路線名称、地点情報、ならびに、口コミ情報、施設の営業時間、店舗の取扱商品、ＵＲＬ、写真データ、ならびに、クーポン情報等）の注記情報、ならびに、地図上に表示される記号（例えば、山、史跡、寺社、官庁、警察署、交番、消防署、駅、医療機関、美術館、博物館、学校、工場、および、墓地等の地図記号、飲食店、食料品店、酒店、タバコ店、百貨店、ショッピングセンター、スーパーマーケット、コンビニエンスストア、ガソリンスタンド、金融機関、および、郵便局等の店舗記号、道路上の信号、有料道路の出入口、料金所、サービスエリア、パーキングエリア、および、インターチェンジ等の記号、駐車場、駅、ホテル、美術館、および、博物館等の施設記号、ならびに、口コミ地点記号等）の記号情報（例えば、アイコン等）などのデータを含んでいてもよい。ここで、形状情報は、地図オブジェクト描画用の画像（例えば、ポリゴン、および、ポリライン等）を含んでいてもよい。
【００４６】
また、地図情報データベース２０６ｄは、更に、ＰＯＩの位置情報等を含むＰＯＩ情報を記憶していてもよい。ここで、ＰＯＩの位置（座標）情報は、ＰＯＩの緯度経度高度、ＰＯＩの電話番号、ＰＯＩの住所、ならびに、ＰＯＩの存在する地点の立地（都市部、郊外、港湾部、および、駅周辺等）および用途制限等を含んでいてもよい。また、ＰＯＩ情報は、ＰＯＩの名称、種別（カテゴリ）、ＵＲＬ、営業時間、取扱商品、平均価格（例えば、平均使用料金など）、評判、ランキング、立ち寄りやすさ、レコメンドスコア、写真データ、クーポン情報、口コミ（例えば、口コミ評価およびユーザコメントなど）、使用条件、使用可能性、施設規模、ＰＯＩ  ＩＤ、当該ＰＯＩ情報へのアクセス回数またはアクセス頻度等の参照率、および、当該ＰＯＩ情報の更新日時等の情報を含んでいてもよい。ここで、ＰＯＩとは、便利な場所や興味のある場所などとして人が知覚する特定の地点および施設等であって、店舗、会社、事務所、公共施設、娯楽施設、および、屋外施設等であってもよい。ここで、店舗は、例えば、飲食店、食料品店、酒店、タバコ店、百貨店、ショッピングセンター、スーパーマーケット、コンビニエンスストア、ガソリンスタンド、金融機関、郵便局、立体駐車場、ならびに、ホテルおよび旅館等の宿泊施設等であってもよい。また、公共施設は、例えば、官庁、警察署、交番、消防署、駅、医療機関、美術館、博物館、および、学校等であってもよい。また、娯楽施設は、例えば、映画館、劇場、遊園地、パチンコ店、カジノ、および、競馬場等であってもよい。また、屋外施設は、バスターミナル、公園、遊園地、キャンプ場、連絡通路、屋外駐車場、および、動物園等であってもよい。また、ＰＯＩは、一時的に行われるイベント（例えば、祭り、展示会、博覧会、試合、コンサート、および、フリーマーケット等）の会場であってもよい。
【００４７】
また、地図情報に含まれる屋内地図情報は、施設等の構内における屋内経路についての構内経路データを含んでいてもよい。ここで、構内経路データとは、駅等の構内における移動経路データと、当該移動経路を含む地図（施設案内図）の地図情報と、に少なくとも基づくデータであってもよい。例えば、構内経路データは、施設案内図に移動経路が引いてある画像であってもよい。また、例えば、構内経路データは、更に、移動経路を説明するメッセージデータを含んでいてもよい。ここで、移動経路データに基づく移動経路とは、施設内で複数の交通機関の乗換えをする場合の改札口等を結ぶ最適経路（例えば、最短経路またはバリアフリー経路等）であってもよい。
【００４８】
また、これら地図情報等は、地図情報データベース２０６ｄに予め記憶されており、旅行支援サーバ２００の制御部２０２は、定期的に、および／または、制御部２０２による処理に応じて（例えば、制御部２０２においてデータが必要となる契機等に）ネットワーク３００を介して最新のデータを外部機器（例えば、地図情報を提供する地図提供サーバなど）等からダウンロードして地図情報データベース２０６ｄに記憶された地図情報等をアップデートしてもよい。
【００４９】
また、案内情報データベース２０６ｅは、案内情報（音声案内情報および表示案内情報等）を記憶する案内情報記憶手段である。ここで、案内情報に含まれる表示案内情報は、分岐点等における進行方向等に対応付けられた、右左折等の誘導を画面に表示する矢印ナビゲーションであるターンバイターン（ＴＢＴ）、および、現在位置が目標物に近づいた旨を知らせる文字データ等であってもよく、例えば、端末装置１００の制御部１０２が表示案内を実行する際に用いられてもよい。また、表示案内情報は、交差点周辺の低縮尺の地図に関する地図情報（例えば、交差点拡大図等）、道路標識の道路標識画像、および、道路標示の道路表示画像等を含んでいてもよい。また、案内情報に含まれる音声案内情報は、現在位置周辺に渋滞している領域があることを知らせる音声情報であってもよく、横断路の進入箇所に対応付けられた「目前の横断路は横断可能です」、「この先にも横断路があります」、および、「ここが最後の横断路です」、渋滞箇所の案内に対応付けられた「この先渋滞しています」、分岐点等における進行方向等に対応付けられた「次の交差点を左に曲がります」、ならびに、現在位置が目的地に近づいた場合に対応付けられた「まもなく目的地周辺です」等の音声情報であってもよく、例えば、端末装置１００の制御部１０２が音声案内を実行する際に用いられてもよい。
【００５０】
また、制御部２０２は、ＯＳ（Ｏｐｅｒａｔｉｎｇ  Ｓｙｓｔｅｍ）等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、旅行計画情報受信部２０２ａ、訪問地情報取得部２０２ｂ、旅行支援情報作成部２０２ｃ、および、旅行支援情報送信部２０２ｄを備える。
【００５１】
このうち、旅行計画情報受信部２０２ａは、端末装置１００の入力部１１８を介して入力され、端末装置１００から送信された訪問予定地情報を含む旅行計画情報を受信する旅行計画情報受信手段である。ここで、旅行計画情報は、更に、出発地情報および目的地情報を含んでいてもよい。また、旅行計画情報は、更に、気象（天候）情報、移動手段情報（例えば、公共交通機関利用、徒歩利用、自転車利用、鉄道利用、または、自動車利用等）、出発日（出発日時）、帰着日（帰着日時）、および／または、日程（日付）等（例えば、経路探索条件など）を含んでいてもよい。また、訪問予定地情報は、利用者が訪問を予定する地点（旅行先）の名称、または、位置情報（例えば、表示された地図情報上でタップした位置に対応する地点情報等）などであってもよい。
【００５２】
また、訪問地情報取得部２０２ｂは、訪問予定地情報が、旅行情報データベース２０６ａに記憶された他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得手段である。ここで、訪問地情報取得部２０２ｂは、訪問予定地情報が、旅行情報データベース２０６ａに記憶された他の利用者の旅行情報に含まれる場合、天候、および／または、移動手段に基づき、当該他の利用者の旅行情報に含まれる、当該訪問予定地情報に基づく訪問予定地を含む、移動経路と関連付けられた、訪問地に関する訪問地情報を取得してもよい。
【００５３】
また、旅行支援情報作成部２０２ｃは、訪問地情報取得部２０２ｂにより取得された、移動経路と関連付けられた訪問地情報を含む旅行支援情報を作成する旅行支援情報作成手段である。ここで、旅行支援情報作成部２０２ｃは、訪問地情報取得部２０２ｂにより取得された訪問地情報を所定条件に基づき選択し、当該選択された訪問地情報を含む旅行支援情報を作成してもよい。また、旅行支援情報作成部２０２ｃは、訪問地情報取得部２０２ｂにより取得された、移動経路と関連付けられた訪問地情報を所定条件に基づき集計し、当該集計された訪問地情報を含む旅行支援情報を作成してもよい。また、旅行支援情報作成部２０２ｃは、更に、訪問地情報取得部２０２ｂにより取得された訪問地情報に基づく訪問地に関連付けられた移動経路に基づいて、訪問予定地と訪問地との間の移動手段に関する移動手段情報、および／または、所要時間を含む旅行支援情報を作成してもよい。また、旅行支援情報作成部２０２ｃは、更に、訪問地情報取得部２０２ｂにより取得された訪問地情報と、出発地情報または目的地情報と、が一致しない場合、当該訪問地情報に基づく訪問地に関連付けられた移動経路を含む、出発地情報に基づく出発地から目的地情報に基づく目的地までの最適経路を探索し、当該最適経路に関する経路情報を含む旅行支援情報を作成してもよい。
【００５４】
ここで、旅行支援情報作成部２０２ｃは、最適経路（案内経路）をネットワーク情報データベース２０６ｂに記憶されたネットワーク情報を用いて探索してもよい。また、旅行支援情報作成部２０２ｃは、更に、最適経路を、交通情報データベース２０６ｃに記憶された交通情報に基づいて探索してもよい。例えば、旅行支援情報作成部２０２ｃは、最適経路を、交通情報データベース２０６ｃに記憶された交通情報に基づいて、ネットワーク情報データベース２０６ｂに記憶されたネットワーク情報を用いて探索してもよい。また、旅行支援情報作成部２０２ｃは、旅行計画情報（経路探索条件）を満たす最適経路を探索してもよい。また、旅行支援情報は、旅行計画情報との相違点（差分情報）、および／または、旅行情報の統計情報等を含む旅行参考情報を含んでいてもよい。ここで、旅行参考情報は、訪問予定地を含む訪問地の、平均滞在時間、訪問人数、前の訪問地、後の訪問地、および／または、訪問順等を含んでいてもよい。また、旅行参考情報は、地点間（例えば、訪問地間等）の移動手段に関する移動手段情報、および／または、宿泊先等を含んでいてもよい。また、旅行支援情報は、更に、地図情報データベース２０６ｄに記憶された最適経路を含む地図に関する地図情報、および／または、案内情報データベース２０６ｅに記憶された、最適経路上において出力される案内情報（表示案内情報および音声案内情報等）を含んでいてもよい。
【００５５】
また、旅行支援情報送信部２０２ｄは、旅行支援情報作成部２０２ｃにより作成された旅行支援情報を端末装置１００に送信する旅行支援情報送信手段である。
【００５６】
［端末装置１００の構成］
また、図１において、端末装置１００は、旅行支援サーバ２００から送信された旅行支援情報を受信し、旅行支援情報を表示部１１４に表示させる等の機能を有する。端末装置１００は、例えば、一般に市販されるデスクトップ型またはノート型のパーソナルコンピュータ等の情報処理装置、携帯電話、スマートフォン、ＰＨＳ、およびＰＤＡ等の携帯端末装置、および、走行経路案内等を行なうナビゲーション端末（例えば、カー旅行支援装置など）等である。ここで、端末装置１００は、インターネットブラウザ等を搭載していてもよく、経路案内アプリケーション、乗換案内アプリケーション、および情報検索アプリケーション等を搭載していてもよい。また、端末装置１００は、リアルタイムに現在位置測位が行えるよう、ＧＰＳ機能やＩＭＥＳ機能等を有する位置取得部１１２を備えていてもよい。また、端末装置１００は、表示部１１４と音声出力部１１６とを少なくとも含む出力部を備えていてもよい。また、端末装置１００は、データ入力等を行う入力部１１８を備えていてもよい。
【００５７】
ここで、表示部１１４は、アプリケーション等の表示画面を表示する表示手段（例えば、液晶または有機ＥＬ等から構成されるディスプレイ、モニタ、および、タッチパネル等）であってもよい。また、音声出力部１１６は、音声情報を音声として出力する音声出力手段（例えば、スピーカ等）であってもよい。また、入力部１１８は、例えば、キー入力部、タッチパネル、コントロールパッド（例えば、タッチパッド、および、ゲームパッド等）、マウス、キーボード、および、マイク等であってもよい。また、入出力制御インターフェース部１０８は、位置取得部１１２、表示部１１４、音声出力部１１６、および、入力部１１８等の制御を行う。
【００５８】
ここで、位置取得部１１２は、例えば、位置発信装置５００から発信される位置情報信号を受信する信号受信手段であってもよい。ここで、位置発信装置５００は、位置情報信号（ＧＰＳ信号）を発信するＧＰＳ装置（例えば、ＧＰＳ衛星等）であってもよい。ここで、ＧＰＳ信号は、ＧＰＳ装置に搭載された原子時計等からの時刻、および、ＧＰＳ装置の天体暦（例えば、軌道情報等）などを含んでいてもよい。また、位置発信装置５００は、端末装置１００との間で無線通信を行うための装置等である基地局（例えば、携帯電話、自動車電話、および、ＰＨＳの基地局等）であってもよい。また、位置発信装置５００は、ＧＰＳ信号と類似した特徴を持つ位置情報信号を用いて屋内測位を可能とするＩＭＥＳ（Ｉｎｄｏｏｒ  Ｍｅｓｓａｇｅ  Ｓｙｓｔｅｍ）技術を実現するＩＭＥＳ装置であってもよい。
【００５９】
また、位置発信装置５００は、屋外で受信したＧＰＳ信号を屋内で発信するＧＰＳリピータであってもよい。また、位置発信装置５００は、建物（例えば、立体駐車場等）内の各フロアや地下構造物（例えば、地下鉄駅、地下街、地下連絡通路、および地下駐車場等）の各所に任意に設置される小型発信装置であってもよい。なお、この小型発信装置には、設置場所に応じた自己位置情報（位置ＩＤ等）が割り振られている。そして、端末装置１００が通信可能範囲に入ると、端末装置１００は、小型発信装置から送信される自己位置情報を位置情報信号として受信する。この際の通信方式は、例えば、ＲＦＩＤ（Ｒａｄｉｏ  Ｆｒｅｑｕｅｎｃｙ  Ｉｄｅｎｔｉｆｉｃａｔｉｏｎ）タグシステムやＢｌｕｅｔｏｏｔｈ（登録商標）等の各種近距離無線方式や、赤外線通信方式等であってもよい。また、位置発信装置５００は、無線ＬＡＮのアクセスポイントであってもよい。本実施形態において、位置取得部１１２は、無線ＬＡＮ信号等を受信して、アクセスポイントの識別情報を取得してもよい。そして、制御部１０２は、位置取得部１１２にて取得したアクセスポイント固有の識別情報からアクセスポイントの位置を特定して位置情報を取得してもよい。また、本実施形態において、制御部１０２は、位置取得部１１２にて取得された位置情報信号から、緯度、経度、および、高さ情報を含む位置情報を算出してもよい。ここで、位置情報は、緯度および経度により特定される絶対位置の他、基準となる位置からの相対位置を示すものであってもよい。
【００６０】
ここで、位置取得部１１２は、端末装置１００の変化量（例えば、ベクトル量等）を検出する速度センサ、加速度センサ、方位センサ、および、距離センサ等を備えていてもよい。ここで、位置取得部１１２は、速度センサにて速度を検出してもよい。また、位置取得部１１２は、加速度センサにて加速度を検出してもよい。また、位置取得部１１２は、方位センサにて方位（例えば、東・西・南・北・天・地等）および傾きを検出してもよい。また、位置取得部１１２は、距離センサにて移動距離（変位）を検出してもよい。ここで、速度センサは、レーザドップラ振動計等であってもよく、検出したドップラー効果によって生じた周波数の差等から端末装置１００の速度を検出してもよい。また、加速度センサは、機械式加速度センサ、ＦＢＧ光ファイバ式等の光学式加速度センサ、および、ＭＥＭＳ（Ｍｉｃｒｏ  Ｅｌｅｃｔｒｏ  Ｍｅｃｈａｎｉｃａｌ  Ｓｙｓｔｅｍｓ）加速度センサ等の半導体式加速度センサなどであってもよい。また、方位センサには、絶対走行方位を検出する地磁気センサ、および、相対走行方位を検出する光ジャイロ等が使用されてもよい。また、方位センサは、地磁気センサと加速度センサを組み合わせることで方位および傾きに関する情報を取得できる電子コンパス等であってもよい。また、距離センサは、端末装置１００が車両用の情報処理端末である場合、車軸の回転数に比例してパルス信号を発生させ、パルス信号の数量に比例した移動距離を検出してもよい。
【００６１】
また、位置取得部１１２は、更に、通信装置を備えていてもよく、端末装置１００が車両用の情報処理端末である場合、各車両に搭載された当該通信装置の車車間通信から自車位置を示す位置情報を取得してもよい。また、位置取得部１１２は、地図情報に基づいて端末装置１００の利用者の現在位置を示す位置情報を取得してもよい。
【００６２】
また、通信制御インターフェース部１０４は、通信回線や電話回線等に接続されるアンテナやルータ等の通信装置（図示せず）に接続されるインターフェースであり、端末装置１００とネットワーク３００との間における通信制御を行う機能を有する。すなわち、通信制御インターフェース部１０４は、旅行支援サーバ２００等と通信回線を介してデータを通信する機能を有している。また、ネットワーク３００は、端末装置１００および旅行支援サーバ２００と、外部の地図提供サーバ等の外部機器または外部システムとを相互に接続する機能を有し、例えば、インターネット、電話回線網（携帯端末回線網および一般電話回線網等）、イントラネット、または、電力線通信（ＰＬＣ）等であってもよい。
【００６３】
また、記憶部１０６は、ＨＤＤやＳＳＤ等の大容量のストレージ手段、および／または、ＳＲＡＭ（Ｓｔａｔｉｃ  Ｒａｎｄｏｍ  Ａｃｃｅｓｓ  Ｍｅｍｏｒｙ）等を用いて構成される小容量高速メモリ（例えば、キャッシュメモリ）等のストレージ手段であり、各種のデータベースやファイルやテーブル（旅行支援情報ファイル１０６ａ等）を格納してもよい。ここで、記憶部１０６は、各種のファイル等を一時的に記憶するものであってもよい。
【００６４】
また、旅行支援情報ファイル１０６ａは、旅行支援情報を記憶する旅行支援情報記憶手段である。
【００６５】
また、制御部１０２は、ＯＳ等の制御プログラムや、各種の処理手順等を規定したプログラム、および、所要データを格納するための内部メモリを有する。そして、制御部１０２は、これらのプログラム等により、種々の処理を実行するための情報処理を行う。制御部１０２は、機能概念的に、現在位置情報取得部１０２ａ、旅行計画情報送信部１０２ｂ、旅行支援情報受信部１０２ｃ、および、旅行支援情報表示部１０２ｄを備える。
【００６６】
ここで、現在位置情報取得部１０２ａは、端末装置１００の利用者の現在位置情報を取得する現在位置情報取得手段である。ここで、現在位置情報取得部１０２ａは、端末装置１００の利用者の現在位置情報を所定時間ごと（例えば、１秒ごと、または、３分ごと等）に、すなわち、所定周期で取得してもよい。また、現在位置情報取得部１０２ａは、位置取得部１１２にて位置発信装置５００から受信した位置情報信号から算出した位置情報を端末装置１００の利用者の現在位置情報として取得してもよい。また、現在位置情報取得部１０２ａは、更に、端末装置１００の利用者の現在位置情報を旅行支援サーバ２００に送信してもよい。また、現在位置情報は、取得時刻（例えば、位置情報信号に含まれる発信時刻等）を含んでいてもよい。
【００６７】
また、現在位置情報取得部１０２ａは、利用者により入力部１１８を介して入力された現在位置についての位置座標等の位置情報を端末装置１００の利用者の現在位置情報として取得してもよい。ここで、利用者により入力部１１８を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部１０２ａは、表示部１１４に表示された地図情報上で、利用者により入力部１１８を介して指定（例えば、タッチパネルを介して指定等）された表示位置に対応する地点情報を端末装置１００の利用者の現在位置情報として取得してもよい。
【００６８】
また、旅行計画情報送信部１０２ｂは、入力部１１８を介して訪問予定地情報を含む旅行計画情報が入力された場合、当該旅行計画情報を旅行支援サーバ２００に送信する旅行計画情報送信手段である。ここで、旅行計画情報送信部１０２ｂは、旅行計画情報を入力するための表示情報（入力画面）を表示部１１４に表示させてもよい。
【００６９】
また、旅行支援情報受信部１０２ｃは、旅行支援サーバ２００から送信された旅行支援情報を受信する旅行支援情報受信手段である。ここで、旅行支援情報受信部１０２ｃは、更に、これら受信情報を旅行支援情報ファイル１０６ａに格納してもよい。ここで、旅行支援情報受信部１０２ｃは、旅行支援情報ファイル１０６ａに既存の受信情報が記憶されている場合、新たに設定された受信情報を、既存の受信情報に上書きして格納してもよい。
【００７０】
また、旅行支援情報表示部１０２ｄは、旅行支援情報を表示部１１４に表示させる旅行支援情報表示手段である。ここで、旅行支援情報表示部１０２ｄは、更に、端末装置１００の利用者の現在位置情報を表示部１１４に表示させてもよい。また、旅行支援情報表示部１０２ｄは、表示案内情報を表示部１１４に表示させてもよい。また、旅行支援情報表示部１０２ｄは、経路案内情報（地図情報、経路情報、および／または、現在位置情報等）を表示部１１４に表示させることにより、経路案内を実行してもよい。ここで、旅行支援情報表示部１０２ｄは、入力部１１８を介して経路案内開始要求が入力された場合、経路案内を実行してもよい。また、旅行支援情報表示部１０２ｄは、表示に対応した音声情報（案内情報に含まれる音声案内情報等）を音声出力部１１６を介して出力させてもよい。
【００７１】
以上で、第１の実施形態における旅行支援システムの構成の一例の説明を終える。
【００７２】
［旅行支援システムの処理］
次に、このように構成された第１の実施形態における旅行支援システムの処理の一例について、以下に図２乃至図１３を参照して説明する。図２は、第１の実施形態における旅行支援システムの処理の一例を示すフローチャートである。
【００７３】
図２に示すように、まず、端末装置１００の旅行計画情報送信部１０２ｂは、旅行計画情報を入力するための入力画面を表示部１１４に表示させ、利用者により入力部１１８を介して訪問予定地情報を含む旅行計画情報が入力された場合、当該旅行計画情報を旅行支援サーバ２００に送信する（ステップＳＡ−１）。ここで、旅行計画情報は、更に、出発地情報、目的地情報、気象（天候）情報、移動手段情報（例えば、公共交通機関利用、徒歩利用、自転車利用、鉄道利用、または、自動車利用等）、出発日（出発日時）、および／または、日程（日付）等（例えば、経路探索条件など）を含んでいてもよい。また、訪問予定地情報は、利用者が訪問を予定する地点（旅行先）の名称、または、位置情報（例えば、表示された地図情報上でタップした位置に対応する地点情報等）などであってもよい。例えば、旅行計画情報送信部１０２ｂは、地図情報を含む入力画面を表示部１１４に表示させ、利用者により入力部１１８を介して表示した地図情報がタップされた場合、当該タップされた位置に対応する地点情報を訪問予定地情報として取得し、当該訪問予定地情報を含む旅行計画情報を旅行支援サーバ２００に送信してもよい。
【００７４】
ここで、図３および図４を参照して、本実施形態における入力画面の一例について説明する。図３および図４は、本実施形態における入力画面の一例を示す図である。
【００７５】
図３に示すように、本実施形態における旅行計画情報を入力するための入力画面には、出発日、出発地、目的地、利用する移動手段、および、訪問予定地（訪問地）に関する入力情報を入力するためのテキストボックス、ならびに、日程を選択するためのドロップダウンリストを含んでいてもよい。ここで、ユーザは、少なくとも１つの訪問予定地情報を旅行計画情報として入力することで、他のユーザの経路データを参照する際の絞り込み条件として利用してもよい。また、図４に示すように、本実施形態における旅行計画情報を入力するための入力画面には、出発日、出発地、および、訪問予定地（旅行先）に関する入力情報を入力するためのテキストボックス、ならびに、日程を選択するためのドロップダウンリストを含んでいてもよい。ここで、ユーザは、旅行計画情報が具体的に決まっている場合、出発時間および訪問順等を併せて入力してもよい。
【００７６】
図２に戻り、旅行支援サーバ２００の旅行計画情報受信部２０２ａは、端末装置１００から送信された訪問予定地情報を含む旅行計画情報を受信する（ステップＳＡ−２）。
【００７７】
そして、旅行支援サーバ２００の訪問地情報取得部２０２ｂは、旅行計画情報受信部２０２ａにより受信された訪問予定地情報が、旅行情報データベース２０６ａに記憶された他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する（ステップＳＡ−３）。ここで、訪問地情報取得部２０２ｂは、旅行計画情報受信部２０２ａにより受信された訪問予定地情報が、旅行情報データベース２０６ａに記憶された他の利用者の旅行情報に含まれる場合、旅行計画情報受信部２０２ａにより受信された旅行計画情報に含まれる気象情報に基づく天候、および／または、移動手段情報に基づく利用移動手段に基づき、当該他の利用者の旅行情報に含まれる、当該訪問予定地情報に基づく訪問予定地を含む、移動経路と関連付けられた、訪問地に関する訪問地情報を取得してもよい。また、移動経路と関連付けられたとは、移動経路として探索された経路でもよく、実際の移動履歴を伴った経路でもよく、ユーザが一連の旅行計画として関連付けた組合せであって、道路に沿った経路を持っていないというものでもよい。すなわち、訪問地情報取得部２０２ｂは、旅行情報データベース２０６ａに記憶された他の利用者の移動履歴情報、旅行計画情報、および、地点検索履歴情報の中から、利用者により入力された旅行計画に関連する情報（訪問地情報）を抽出してもよい。
【００７８】
ここで、図５を参照して、本実施形態における旅行情報データベース２０６ａに記憶された他の利用者の旅行情報の一例について説明する。図５は、本実施形態における移動履歴情報の一例を示す図である。
【００７９】
図５に示すように、本実施形態における旅行情報データベース２０６ａに記憶された他の利用者の旅行情報に含まれる移動履歴情報には、ＧＰＳ等を利用して測位された他の利用者の測位位置情報、他の利用者がスポットに立ち寄った際のチェックイン情報等を含む訪問地点情報、および／または、他の利用者の移動経路情報を含んでいてもよい。ここで、図５に示すように、本実施形態における移動履歴情報は、同じ移動履歴を複数のデータ形式で保持していてもよく、１つの移動履歴は１つのデータ形式だけに対応してもよい。
【００８０】
また、図６および図７を参照して、本実施形態における訪問地情報取得処理の一例について説明する。図６および図７は、本実施形態における移動履歴情報を用いた訪問地情報取得処理の一例を示す図である。
【００８１】
図６に示すように、訪問地情報取得部２０２ｂは、旅行情報データベース２０６ａに記憶された他の利用者の測位位置情報、および、地図情報データベース２０６ｄに記憶された地図情報を用いて、地図上のＰＯＩに他の利用者の測位位置をマッチングして立寄地点（訪問地）を特定し（図６左）、特定した立寄地点（訪問地）とユーザ（利用者）が設定した地点（訪問予定地）とをマッチングし（図６右）、マッチングされた当該立寄地点（訪問地）に関する訪問地情報を取得してもよい。すなわち、所定地点を含む移動履歴を、測位位置情報から抽出してもよい。
【００８２】
また、図７に示すように、訪問地情報取得部２０２ｂは、旅行情報データベース２０６ａに記憶された他の利用者の測位位置情報、ネットワーク情報データベース２０６ｂに記憶されたネットワーク情報、および、地図情報データベース２０６ｄに記憶された地図情報を用いて、地図上のＰＯＩおよび道路ネットワークに他の利用者の測位位置をマッチングして立寄地点（訪問地）および移動経路を特定し（図７左）、特定した立寄地点（訪問地）および移動経路とユーザ（利用者）が設定した経路（旅行計画）とをマッチングして（図７右）、当該移動経路と関連付けられた、マッチングされた当該立寄地点（訪問地）に関する訪問地情報を取得してもよい。すなわち、所定経路を含む移動履歴を、測位位置情報から抽出してもよい。
【００８３】
また、図８を参照して、本実施形態における訪問地と関連付けられた移動経路の一例について説明する。図８は、本実施形態における訪問地と関連付けられた移動経路の一例を示す図である。
【００８４】
図８は、集計対象の移動経路を示した図であり、例えば、訪問予定地としてＢ博物館が指定されていた場合、Ｂ博物館を訪問地として含む他のユーザの移動経路を抽出してもよい。ここで、移動経路は、他のユーザの実際の移動経路であってもよく、他のユーザが移動経路として登録した経路であってもよく、訪問地のみを紐づけた情報であってもよい。また、訪問地情報取得部２０２ｂは、抽出された他の利用者の移動経路に基づいて、一連の移動経路に含まれるその他の訪問地を取得し集計してもよく、例えば、Ｂ博物館を含む移動経路にはＡだけでなくＣ、Ｄ、および、Ｅを訪問しているデータを集計してもよい。
【００８５】
図２に戻り、旅行支援サーバ２００の旅行支援情報作成部２０２ｃは、訪問地情報取得部２０２ｂにより取得された、移動経路と関連付けられた訪問地情報を含む旅行支援情報を作成する（ステップＳＡ−４）。ここで、旅行支援情報作成部２０２ｃは、訪問地情報取得部２０２ｂにより取得された訪問地情報を所定条件に基づき選択し、当該選択された訪問地情報を含む旅行支援情報を作成してもよい。また、旅行支援情報作成部２０２ｃは、訪問地情報取得部２０２ｂにより取得された、移動経路と関連付けられた訪問地情報を所定条件に基づき集計し、当該集計された訪問地情報を含む旅行支援情報を作成してもよい。また、旅行支援情報作成部２０２ｃは、更に、訪問地情報取得部２０２ｂにより取得された訪問地情報に基づく訪問地に関連付けられた移動経路に基づいて、訪問予定地と訪問地との間の移動手段に関する移動手段情報、および／または、所要時間を含む旅行支援情報を作成してもよい。また、旅行支援情報作成部２０２ｃは、更に、訪問地情報取得部２０２ｂにより取得された訪問地情報に基づく訪問地に関連付けられた移動経路に基づいて、訪問予定地間、または、訪問地間の移動手段に関する移動手段情報、および／または、所要時間を含む旅行支援情報を作成してもよい。
【００８６】
また、旅行支援情報作成部２０２ｃは、更に、訪問地情報取得部２０２ｂにより取得された訪問地情報と、出発地情報または目的地情報と、が一致しない場合、当該訪問地情報に基づく訪問地に関連付けられた移動経路を含む、出発地情報に基づく出発地から目的地情報に基づく目的地までの、旅行計画情報受信部２０２ａにより受信された旅行計画情報（経路探索条件）を満たす最適経路を交通情報データベース２０６ｃに記憶された交通情報に基づいて、ネットワーク情報データベース２０６ｂに記憶されたネットワーク情報を用いて探索し、当該最適経路に関する経路情報を含む旅行支援情報を作成してもよい。また、旅行支援情報は、旅行計画情報との相違点（差分情報）、および／または、旅行情報の統計情報等を含む旅行参考情報を含んでいてもよい。ここで、旅行参考情報は、訪問予定地を含む訪問地の、平均滞在時間、訪問人数、前の訪問地、後の訪問地、および／または、訪問順等を含んでいてもよい。また、旅行参考情報は、地点間（例えば、訪問地間等）の移動手段に関する移動手段情報、および／または、宿泊先情報等を含んでいてもよい。また、旅行支援情報は、更に、地図情報データベース２０６ｄに記憶された最適経路を含む地図に関する地図情報、および／または、案内情報データベース２０６ｅに記憶された、最適経路上において出力される案内情報（表示案内情報および音声案内情報等）を含んでいてもよい。
【００８７】
そして、旅行支援サーバ２００の旅行支援情報送信部２０２ｄは、旅行支援情報作成部２０２ｃにより作成された旅行支援情報を端末装置１００に送信する（ステップＳＡ−５）。
【００８８】
そして、端末装置１００の旅行支援情報受信部１０２ｃは、旅行支援サーバ２００から送信される旅行支援情報を受信し、受信した旅行支援情報を旅行支援情報ファイル１０６ａに格納する（ステップＳＡ−６）。
【００８９】
そして、端末装置１００の旅行支援情報表示部１０２ｄは、旅行支援情報ファイル１０６ａに記憶された旅行支援情報を表示部１１４に表示させ（ステップＳＡ−７）、処理を終了する。なお、旅行支援情報表示部１０２ｄは、利用者により入力部１１８を介して最適経路に対する経路案内開始要求が入力された場合、旅行支援情報ファイル１０６ａに記憶された地図情報上に、旅行支援情報ファイル１０６ａに記憶された経路情報、および、現在位置情報取得部１０２ａにより取得された端末装置１００の利用者の現在位置情報を重畳して表示部１１４に表示させることにより、経路案内を実行してもよい。ここで、旅行支援情報表示部１０２ｄは、旅行支援情報ファイル１０６ａに記憶された最適経路に対応した表示案内情報を表示部１１４に表示させてもよい。また、旅行支援情報表示部１０２ｄは、表示に対応した音声情報（旅行支援情報ファイル１０６ａに記憶された音声案内情報等）を音声出力部１１６を介して出力させてもよい。また、旅行支援情報表示部１０２ｄは、旅行支援情報ファイル１０６ａに記憶された参考情報を表示部１１４に表示させてもよく、経路情報等に付加して表示部１１４に表示させてもよく、利用者が参考情報を表示部１１４に選択可能に表示させてもよい。このように、本実施形態においては、過去にユーザと同様の旅行計画を作成した他のユーザの情報を取得することができ、例えば、他のユーザと同一の都道府県、エリア、または、訪問先等に関する情報を含む、他のユーザの旅行情報と一部が重複した旅行支援情報を作成することで、ユーザの旅行計画と他のユーザの実際の旅行とを比較することができる。
【００９０】
ここで、図９乃至図１２を参照して、本実施形態における旅行支援情報の一例について説明する。図９乃至図１２は、本実施形態における表示画面の一例を示す図である。
【００９１】
図９は、図３に示す旅行計画情報に基づき集計した訪問地情報に基づき作成された旅行支援情報であり、各訪問地間の移動経路から得た移動方法（所要時間、および、移動手段等）を付加して表示してもよく、集計結果として利用された割合やランキングを表示してもよく、訪問の前後関係を持たせて表示してもよい。
【００９２】
また、図１０は、出発地から訪問地までは最適経路で結んだ全体の経路を表示する旅行支援情報であり、図３に示す旅行計画情報に基づき集計した訪問地情報に基づき取得された移動経路と、移動経路に含まれないユーザ独自の出発地および目的地から訪問地までの最適経路と、からなる経路に関する経路情報を含んでいてもよい。これにより、全体として有効な経路を表示することができる。また、旅行支援情報は、ユーザの独自の出発地または目的地によっては、訪問地情報に基づく移動経路よりも、ユーザにとって利用しやすい巡回路または経路がある場合もあるので、ユーザにとって利用しやすい経路に関する経路情報を含むようにしてもよい。
【００９３】
また、図１１は、集計した条件別に支援情報（参考情報）を含む旅行支援情報を表示した例であり、例えば、本実施形態においては、条件が天候の場合、旅行当日が晴れ、または、雨天の違いにより、集計された移動経路に基づく訪問地情報、および、支援情報（参考情報）を表示してもよい。ここで、条件は、天候だけでなく、移動手段等であってもよい。
【００９４】
また、図１２は、図４に示す旅行計画情報（旅行予定）に基づき作成された旅行支援情報（おすすめ旅行計画）の一例であり、出発日（２０１２／２／１）、日程（１泊２日）、出発地（Ａ駅）から経由地１（Ｄ寺）および経由地２（Ｂ城）を順に訪問する移動経路に関する経路情報、経路情報が重畳された地図情報、ならびに、旅行計画を修正するためのボタン（修正する）を含んでいてもよい。ここで、旅行支援情報は、図１２に示すように、訪問地間の発着時刻、および、移動手段情報等の参考情報を含んでいてもよい。また、移動経路は、参考情報を考慮した訪問順の経路であってもよい。また、旅行支援情報は、参考情報を考慮した訪問地での滞在時間を含んでいてもよい。また、旅行支援情報は、旅行日が悪天候の場合の代替予定の候補情報を含んでいてもよい。
【００９５】
ここで、図１３を参照して、本実施形態における参考情報の一例について説明する。図１３は、本実施形態における参考情報の一例を示す図である。
【００９６】
図１３は、図４に示す旅行計画情報に基づき作成された参考情報の一例であり、旅行情報データベース２０６ａに記憶された複数種類の他の利用者の旅行情報の中から必要な種類の情報を選択して生成されたものであってもよい。ここで、図１３に示すように、参考情報としては、各訪問地の平均滞在時間、各訪問地への訪問人数、訪問地間の移動手段の利用割合、訪問地の前の訪問地、訪問地の後の訪問地、訪問地への訪問者の人気宿泊地、および、訪問地の訪問順ランキング等に関する情報であってもよい。
【００９７】
以上で、第１の実施形態における旅行支援システムの処理の一例の説明を終える。
【００９８】
［第２の実施形態］
続いて、本発明の第２の実施形態における旅行支援システム（サーバ主導型）について、図１４および図１５を参照して以下に説明する。ここで、図１４は、第２の実施形態における旅行支援システムの構成の一例を示すブロック図であり、該構成のうち本発明に関係する部分のみを概念的に示している。
【００９９】
なお、第２の実施形態における旅行支援システムにおいては、旅行支援サーバ２００にて端末装置１００の表示部１１４に表示させるデータを生成し、これらのデータを端末装置１００に送信することにより、当該端末装置１００の表示部１１４を機能させている。このように、第２の実施形態は、旅行支援サーバ２００にてサーバ主導で処理を行う点がその他の実施形態と異なる。
【０１００】
［旅行支援サーバ２００の構成］
まず、第２の実施形態における旅行支援サーバ２００の構成の一例について、図１４を参照して以下に説明する。
【０１０１】
図１４に示すように、本発明の第２の実施形態の旅行支援サーバ２００は、位置取得部１１２と出力部（表示部１１４および音声出力部１１６）と入力部１１８と制御部１０２とを少なくとも備えた端末装置１００に通信可能に接続され、制御部２０２と記憶部２０６とを少なくとも備える。通信には、一例として、ネットワーク３００を介した有線・無線通信等の遠隔通信等を含む。また、これら旅行支援サーバ２００および端末装置１００の各部は任意の通信路を介して通信可能に接続されている。
【０１０２】
図１４において、旅行支援サーバ２００は、端末装置１００の入力部１１８を介して入力され、端末装置１００から送信された旅行計画情報に含まれる訪問予定地情報が、記憶部２０６に記憶された他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得し、取得された移動経路と関連付けられた訪問地情報を含む旅行支援情報を作成し、作成された旅行支援情報を含む表示情報を生成し、表示情報を含む出力制御情報を端末装置１００へ送信することにより、当該表示情報を当該端末装置１００の表示部１１４に表示させる等の機能を有する。
【０１０３】
なお、旅行支援サーバ２００における通信制御インターフェース部２０４および記憶部２０６（旅行情報データベース２０６ａ、ネットワーク情報データベース２０６ｂ、交通情報データベース２０６ｃ、地図情報データベース２０６ｄ、および、案内情報データベース２０６ｅ等）の機能、また、端末装置１００における位置取得部１１２、表示部１１４、音声出力部１１６、および、入力部１１８の機能は、第１の実施形態と同様であるため説明を省略する。
【０１０４】
また、図１４において、制御部２０２は、ＯＳ等の制御プログラムや、各種の処理手順等を規定したプログラム、および、所要データを格納するための内部メモリを有する。そして、制御部２０２は、これらのプログラム等により、種々の処理を実行するための情報処理を行う。制御部２０２は、機能概念的に、旅行計画情報受信部２０２ａ、訪問地情報取得部２０２ｂ、旅行支援情報作成部２０２ｃ、現在位置情報取得部２０２ｅ、表示情報生成部２０２ｆ、および、出力制御部２０２ｇを備える。なお、旅行計画情報受信部２０２ａ、訪問地情報取得部２０２ｂ、および、旅行支援情報作成部２０２ｃの機能は、第１の実施形態と同様であるため説明を省略する。
【０１０５】
このうち、現在位置情報取得部２０２ｅは、端末装置１００の利用者の現在位置情報を取得する現在位置情報取得手段である。ここで、現在位置情報取得部２０２ｅは、端末装置１００の利用者の現在位置情報を所定時間ごと（例えば、１秒ごと、または、３分ごと等）に、すなわち、所定周期で取得してもよい。また、現在位置情報取得部２０２ｅは、端末装置１００の位置取得部１１２にて位置発信装置５００から受信した位置情報信号を端末装置１００から受信し、当該位置情報信号から算出した位置情報を端末装置１００の利用者の現在位置情報として取得してもよい。また、現在位置情報取得部２０２ｅは、利用者により端末装置１００の入力部１１８を介して入力された現在位置についての位置座標等の位置情報を受信し、当該位置情報を端末装置１００の利用者の現在位置情報として取得してもよい。
【０１０６】
また、表示情報生成部２０２ｆは、表示情報を生成する表示情報生成手段である。ここで、表示情報生成部２０２ｆは、旅行支援情報を含む表示情報を生成してもよい。ここで、表示情報生成部２０２ｆは、更に、端末装置１００の利用者の現在位置情報を含む表示情報を生成してもよい。また、表示情報生成部２０２ｆは、旅行計画情報を入力するための表示情報（入力画面）を生成してもよい。また、表示情報生成部２０２ｆは、予め記憶部２０６に記憶された入力画面を取得してもよい。ここで、表示情報は、端末装置１００の表示部１１４に表示させる情報（例えば、画像、文字情報、または、表示画面等）であってもよい。
【０１０７】
また、出力制御部２０２ｇは、表示情報を含む出力制御情報を端末装置１００へ送信することにより、当該出力制御情報を当該端末装置１００の出力部を介して出力させる出力制御手段である。ここで、出力制御部２０２ｇは、表示情報を含む出力制御情報を端末装置１００に送信することにより、当該表示情報を当該端末装置１００の表示部１１４に表示させてもよい。また、出力制御部２０２ｇは、端末装置１００の入力部１１８を介して経路案内開始要求が入力された場合等、表示情報を含む出力制御情報を端末装置１００に送信することにより、当該表示情報を当該端末装置１００の表示部１１４に表示させることで、経路案内を実行してもよい。また、出力制御部２０２ｇは、更に、表示情報に対応した音声情報（例えば、案内情報データベース２０６ｅに記憶された音声案内情報等）を含む出力制御情報を端末装置１００に送信することにより、当該音声情報を端末装置１００の音声出力部１１６を介して出力させることで、音声案内を実行してもよい。
【０１０８】
以上で、第２の実施形態における旅行支援サーバ２００の構成の一例の説明を終える。
【０１０９】
［旅行支援システム（サーバ主導型）の処理］
次に、このように構成された第２の実施形態における旅行支援システムの処理の一例について、以下に図１５を参照して説明する。図１５は、第２の実施形態における旅行支援システムの処理の一例を示すフローチャートである。
【０１１０】
図１５に示すように、まず、旅行支援サーバ２００の表示情報生成部２０２ｆは、旅行計画情報を入力するための入力画面を生成する（ステップＳＢ−１）。ここで、表示情報生成部２０２ｆは、予め記憶部２０６に記憶された旅行計画情報を入力するための入力画面を取得してもよい。
【０１１１】
そして、旅行支援サーバ２００の出力制御部２０２ｇは、表示情報生成部２０２ｆにより生成された入力画面を含む出力制御情報を端末装置１００に送信することにより、当該表示情報を当該端末装置１００の表示部１１４に表示させる（ステップＳＢ−２）。
【０１１２】
そして、端末装置１００の制御部１０２は、利用者により入力部１１８を介して表示部１１４に表示された入力画面に訪問予定地情報を含む旅行計画情報が入力された場合、当該旅行計画情報を旅行支援サーバ２００に送信する（ステップＳＢ−３）。
【０１１３】
ここで、図１５に示す第２の実施形態におけるステップＳＢ−４乃至ステップＳＢ−６の処理は、図２に示す第１の実施形態におけるステップＳＡ−２乃至ステップＳＡ−４の処理と同様であるため説明を省略する。
【０１１４】
そして、旅行支援サーバ２００の表示情報生成部２０２ｆは、旅行支援情報作成部２０２ｃにより作成された旅行支援情報を含む表示情報を生成する（ステップＳＢ−７）。ここで、表示情報生成部２０２ｆは、更に、現在位置情報取得部２０２ｅにより取得された端末装置１００の利用者の現在位置情報を含む表示情報を生成してもよい。
【０１１５】
そして、旅行支援サーバ２００の出力制御部２０２ｇは、表示情報生成部２０２ｆにより生成された表示情報を含む出力制御情報を端末装置１００に送信することにより、当該表示情報を当該端末装置１００の表示部１１４に表示させ（ステップＳＢ−８）、処理を終了する。ここで、出力制御部２０２ｇは、端末装置１００の入力部１１８を介して経路案内開始要求が入力された場合等、表示情報生成部２０２ｆにより生成された表示情報を含む出力制御情報を端末装置１００に送信することにより、当該表示情報を当該端末装置１００の表示部１１４に表示させることで、経路案内を実行してもよい。また、出力制御部２０２ｇは、更に、表示情報に対応した音声情報（例えば、案内情報データベース２０６ｅに記憶された音声案内情報等）を含む出力制御情報を端末装置１００に送信することにより、当該音声情報を端末装置１００の音声出力部１１６を介して出力させることで、音声案内を実行してもよい。
【０１１６】
以上で、第２の実施形態における旅行支援システムの処理の一例の説明を終える。
【０１１７】
［第３の実施形態］
続いて、本発明の第３の実施形態における旅行支援システムについて、図１６および図１７を参照して以下に説明する。ここで、図１６は、第３の実施形態における旅行支援装置４００の構成の一例を示すブロック図であり、該構成のうち本発明に関係する部分のみを概念的に示している。ここで、第３の実施形態における旅行支援システムにおいては、各構成が一筐体内に全て備えられ、単独で処理を行うもの（スタンドアローン型）を、旅行支援装置４００として説明するが、当該実施例に限らず、各構成が分離した筐体内に備えられ、ネットワーク３００等を介して接続されて一つの概念としての装置を構成するもの（例えば、クラウドコンピューティング等）であってもよい。
【０１１８】
なお、第３の実施形態においては、全ての機能を旅行支援装置４００に集約し、入力部４１８を介して入力された訪問予定地情報を含む旅行計画情報を取得し、取得された訪問予定地情報が、記憶部４０６に記憶された他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得し、取得された移動経路と関連付けられた訪問地情報を含む旅行支援情報を作成し、作成された旅行支援情報を表示部４１４に表示させる等の機能を有する。
【０１１９】
［旅行支援装置４００の構成］
まず、第３の実施形態における旅行支援装置４００の構成の一例について、図１６を参照して以下に説明する。
【０１２０】
図１６に示すように、本発明の第３の実施形態の旅行支援装置４００は、位置取得部４１２と出力部（表示部４１４および音声出力部４１６）と入力部４１８と制御部４０２と記憶部４０６とを少なくとも備える。これら旅行支援装置４００の各部は任意の通信路を介して通信可能に接続されてもよい。旅行支援装置４００は、例えば、ＰＮＤ（Ｐｏｒｔａｂｌｅ  Ｎａｖｉｇａｔｉｏｎ  Ｄｅｖｉｃｅ）等の各種ナビゲーション端末、ノート型のパーソナルコンピュータ等の各種情報処理装置、または、携帯電話やＰＨＳやＰＤＡ等の携帯端末装置等であってもよい。また、旅行支援装置４００は、通信制御インターフェース部（図示せず）を介してネットワーク３００を経由し、外部装置と相互に通信可能に接続されていてもよい。
【０１２１】
図１６において、入出力制御インターフェース部４０８、位置取得部４１２、表示部４１４、音声出力部４１６、および、入力部４１８の各機能は、第１の実施形態と同様であるため説明を省略する。また、記憶部４０６の各部（旅行情報データベース４０６ａ、ネットワーク情報データベース４０６ｂ、交通情報データベース４０６ｃ、地図情報データベース４０６ｄ、および、案内情報データベース４０６ｅ等）についても、旅行支援サーバ２００ではなく旅行支援装置４００に備えられている点を除き、各機能が第１の実施形態と同様であるため説明を省略する。
【０１２２】
また、制御部４０２の各部については、本実施形態の旅行支援装置４００がスタンドアローン型であり、制御部４０２が各送信部を備えていない点を除き、各機能は第１の実施形態と基本的に同様である。
【０１２３】
また、図１６において、制御部４０２は、ＯＳ等の制御プログラムや、各種の処理手順等を規定したプログラム、および、所要データを格納するための内部メモリを有する。そして、制御部４０２は、これらのプログラム等により、種々の処理を実行するための情報処理を行う。制御部４０２は、機能概念的に、現在位置情報取得部４０２ａ、旅行計画情報取得部４０２ｂ、訪問地情報取得部４０２ｃ、旅行支援情報作成部４０２ｄ、および、旅行支援情報表示部４０２ｅを備える。
【０１２４】
このうち、現在位置情報取得部４０２ａは、旅行支援装置４００の利用者の現在位置情報を取得する現在位置情報取得手段である。ここで、現在位置情報取得部４０２ａは、旅行支援装置４００の利用者の現在位置情報を所定周期（例えば、１秒ごと、または、３分ごと等）で取得してもよい。また、現在位置情報取得部４０２ａは、位置取得部４１２にて位置発信装置５００から受信した位置情報信号から算出した位置情報を旅行支援装置４００の利用者の現在位置情報として取得してもよい。また、現在位置情報は、取得時刻（例えば、位置情報信号に含まれる発信時刻等）を含んでいてもよい。
【０１２５】
また、現在位置情報取得部４０２ａは、利用者により入力部４１８を介して入力された現在位置についての位置座標等の位置情報を旅行支援装置４００の利用者の現在位置情報として取得してもよい。ここで、利用者により入力部４１８を介して入力された現在位置情報に基づく現在位置は、利用者が現実に存在する位置であってもよく、利用者により任意に選択された仮想の現在位置（一例として、東京にいる利用者により選択された大阪の駅や空港等の任意の地点）であってもよい。例えば、現在位置情報取得部４０２ａは、入力部４１８を介して利用者に表示部４１４に表示された地図情報に基づく表示画面上で指定（例えば、タッチパネルを介して指定等）させた座標を旅行支援装置４００の利用者の現在位置情報として取得してもよい。
【０１２６】
また、旅行計画情報取得部４０２ｂは、入力部４１８を介して入力された訪問予定地情報を含む旅行計画情報を取得する旅行計画情報取得手段である。ここで、旅行計画情報取得部４０２ｂは、旅行計画情報を入力するための表示情報（入力画面）を表示部４１４に表示させてもよい。
【０１２７】
また、訪問地情報取得部４０２ｃは、訪問予定地情報が、旅行情報データベース４０６ａに記憶された他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する訪問地情報取得手段である。ここで、訪問地情報取得部４０２ｃは、訪問予定地情報が、旅行情報データベース４０６ａに記憶された他の利用者の旅行情報に含まれる場合、天候、および／または、移動手段に基づき、当該他の利用者の旅行情報に含まれる、当該訪問予定地情報に基づく訪問予定地を含む、移動経路と関連付けられた、訪問地に関する訪問地情報を取得してもよい。
【０１２８】
また、旅行支援情報作成部４０２ｄは、訪問地情報取得部４０２ｃにより取得された、移動経路と関連付けられた訪問地情報を含む旅行支援情報を作成する旅行支援情報作成手段である。ここで、旅行支援情報作成部４０２ｄは、訪問地情報取得部４０２ｃにより取得された訪問地情報を所定条件に基づき選択し、当該選択された訪問地情報を含む旅行支援情報を作成してもよい。また、旅行支援情報作成部４０２ｄは、訪問地情報取得部４０２ｃにより取得された、移動経路と関連付けられた訪問地情報を所定条件に基づき集計し、当該集計された訪問地情報を含む旅行支援情報を作成してもよい。また、旅行支援情報作成部４０２ｄは、更に、訪問地情報取得部４０２ｃにより取得された訪問地情報に基づく訪問地に関連付けられた移動経路に基づいて、訪問予定地と訪問地との間の移動手段に関する移動手段情報、および／または、所要時間を含む旅行支援情報を作成してもよい。また、旅行支援情報作成部４０２ｄは、更に、訪問地情報取得部４０２ｃにより取得された訪問地情報と、出発地情報または目的地情報と、が一致しない場合、当該訪問地情報に基づく訪問地に関連付けられた移動経路を含む、出発地情報に基づく出発地から目的地情報に基づく目的地までの最適経路を探索し、当該最適経路に関する経路情報を含む旅行支援情報を作成してもよい。
【０１２９】
ここで、旅行支援情報作成部４０２ｄは、最適経路（案内経路）をネットワーク情報データベース４０６ｂに記憶されたネットワーク情報を用いて探索してもよい。また、旅行支援情報作成部４０２ｄは、更に、最適経路を、交通情報データベース４０６ｃに記憶された交通情報に基づいて探索してもよい。例えば、旅行支援情報作成部４０２ｄは、最適経路を、交通情報データベース４０６ｃに記憶された交通情報に基づいて、ネットワーク情報データベース４０６ｂに記憶されたネットワーク情報を用いて探索してもよい。また、旅行支援情報作成部４０２ｄは、旅行計画情報（経路探索条件）を満たす最適経路を探索してもよい。また、旅行支援情報は、旅行計画情報との相違点（差分情報）、および／または、旅行情報の統計情報等を含む旅行参考情報を含んでいてもよい。また、旅行支援情報は、更に、地図情報データベース４０６ｄに記憶された最適経路を含む地図に関する地図情報、および／または、案内情報データベース４０６ｅに記憶された、最適経路上において出力される案内情報（表示案内情報および音声案内情報等）を含んでいてもよい。
【０１３０】
また、旅行支援情報表示部４０２ｅは、旅行支援情報を表示部４１４に表示させる旅行支援情報表示手段である。ここで、旅行支援情報表示部４０２ｅは、更に、旅行支援装置４００の利用者の現在位置情報を表示部４１４に表示させてもよい。また、旅行支援情報表示部４０２ｅは、表示案内情報を表示部４１４に表示させてもよい。また、旅行支援情報表示部４０２ｅは、経路案内情報（地図情報、経路情報、および／または、現在位置情報等）を表示部４１４に表示させることにより、経路案内を実行してもよい。ここで、旅行支援情報表示部４０２ｅは、入力部４１８を介して経路案内開始要求が入力された場合、経路案内を実行してもよい。また、旅行支援情報表示部４０２ｅは、表示に対応した音声情報（案内情報に含まれる音声案内情報等）を音声出力部４１６を介して出力させてもよい。
【０１３１】
以上で、第３の実施形態における旅行支援装置４００の構成の一例の説明を終える。
【０１３２】
［旅行支援装置４００の処理］
次に、このように構成された第３の実施形態における旅行支援システム（旅行支援装置４００）の処理の一例について、以下に図１７を参照して説明する。図１７は、第３の実施形態における旅行支援装置４００の処理の一例を示すフローチャートである。
【０１３３】
図１７に示すように、まず、旅行計画情報取得部４０２ｂは、旅行計画情報を入力するための入力画面を表示部４１４に表示させ、利用者により入力部４１８を介して訪問予定地情報を含む旅行計画情報が入力された場合、当該旅行計画情報を取得する（ステップＳＣ−１）。ここで、訪問予定地情報は、利用者が訪問を予定する地点（旅行先）の名称、または、位置情報（例えば、表示された地図情報上でタップした位置に対応する地点情報等）などであってもよい。例えば、旅行計画情報取得部４０２ｂは、地図情報を含む入力画面を表示部４１４に表示させ、利用者により入力部４１８を介して表示した地図情報がタップされた場合、当該タップされた位置に対応する地点情報を訪問予定地情報として取得し、当該訪問予定地情報を含む旅行計画情報を取得してもよい。
【０１３４】
そして、訪問地情報取得部４０２ｃは、旅行計画情報取得部４０２ｂにより取得された訪問予定地情報が、旅行情報データベース４０６ａに記憶された他の利用者の旅行情報に含まれる場合、当該他の利用者の旅行情報に含まれる、当該訪問予定地情報に基づく訪問予定地を含む、移動経路と関連付けられた、訪問地に関する訪問地情報を取得する（ステップＳＣ−２）。ここで、訪問地情報取得部４０２ｃは、旅行計画情報取得部４０２ｂにより取得された訪問予定地情報が、旅行情報データベース４０６ａに記憶された他の利用者の旅行情報に含まれる場合、旅行計画情報取得部４０２ｂにより取得された旅行計画情報に含まれる気象情報に基づく天候、および／または、移動手段情報に基づく利用移動手段に基づき、当該他の利用者の旅行情報に含まれる、当該訪問予定地情報に基づく訪問予定地を含む、移動経路と関連付けられた、訪問地に関する訪問地情報を取得してもよい。
【０１３５】
そして、旅行支援情報作成部４０２ｄは、訪問地情報取得部４０２ｃにより取得された、移動経路と関連付けられた訪問地情報を含む旅行支援情報を作成する（ステップＳＣ−３）。ここで、旅行支援情報作成部４０２ｄは、訪問地情報取得部４０２ｃにより取得された訪問地情報を所定条件に基づき選択し、当該選択された訪問地情報を含む旅行支援情報を作成してもよい。また、旅行支援情報作成部４０２ｄは、訪問地情報取得部４０２ｃにより取得された、移動経路と関連付けられた訪問地情報を所定条件に基づき集計し、当該集計された訪問地情報を含む旅行支援情報を作成してもよい。また、旅行支援情報作成部４０２ｄは、更に、訪問地情報取得部４０２ｃにより取得された訪問地情報に基づく訪問地に関連付けられた移動経路に基づいて、訪問予定地と訪問地との間の移動手段に関する移動手段情報、および／または、所要時間を含む旅行支援情報を作成してもよい。また、旅行支援情報作成部４０２ｄは、更に、訪問地情報取得部４０２ｃにより取得された訪問地情報と、出発地情報または目的地情報と、が一致しない場合、当該訪問地情報に基づく訪問地に関連付けられた移動経路を含む、出発地情報に基づく出発地から目的地情報に基づく目的地までの、旅行計画情報取得部４０２ｂにより取得された旅行計画情報（経路探索条件）を満たす最適経路を交通情報データベース４０６ｃに記憶された交通情報に基づいて、ネットワーク情報データベース４０６ｂに記憶されたネットワーク情報を用いて探索し、当該最適経路に関する経路情報を含む旅行支援情報を作成してもよい。また、旅行支援情報は、旅行計画情報との相違点（差分情報）、および／または、旅行情報の統計情報等を含む旅行参考情報を含んでいてもよい。また、旅行支援情報は、更に、地図情報データベース４０６ｄに記憶された最適経路を含む地図に関する地図情報、および／または、案内情報データベース４０６ｅに記憶された、最適経路上において出力される案内情報（表示案内情報および音声案内情報等）を含んでいてもよい。
【０１３６】
そして、旅行支援情報表示部４０２ｅは、旅行支援情報作成部４０２ｄにより作成された旅行支援情報を表示部４１４に表示させ（ステップＳＣ−４）、処理を終了する。なお、旅行支援情報表示部４０２ｅは、利用者により入力部４１８を介して最適経路に対する経路案内開始要求が入力された場合、旅行支援情報作成部４０２ｄにより作成された旅行支援情報に含まれる地図情報上に、旅行支援情報作成部４０２ｄにより作成された旅行支援情報に含まれる経路情報、および、現在位置情報取得部４０２ａにより取得された旅行支援装置４００の利用者の現在位置情報を重畳して表示部４１４に表示させることにより、経路案内を実行してもよい。ここで、旅行支援情報表示部４０２ｅは、旅行支援情報作成部４０２ｄにより作成された旅行支援情報に含まれる最適経路に対応した表示案内情報を表示部４１４に表示させてもよい。また、旅行支援情報表示部４０２ｅは、表示に対応した音声情報（旅行支援情報作成部４０２ｄにより作成された旅行支援情報に含まれる音声案内情報等）を音声出力部４１６を介して出力させてもよい。
【０１３７】
以上で、第３の実施形態における旅行支援装置４００の処理の一例の説明を終える。
【０１３８】
［他の実施の形態］
さて、これまで本発明の実施の形態について説明したが、本発明は、上述した実施の形態以外にも、特許請求の範囲に記載した技術的思想の範囲内において種々の異なる実施の形態にて実施されてよいものである。
【０１３９】
また、実施の形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。
【０１４０】
このほか、上記文献中や図面中で示した処理手順、制御手順、具体的名称、各処理の登録データや検索条件等のパラメータを含む情報、画面例、データベース構成については、特記する場合を除いて任意に変更することができる。
【０１４１】
また、端末装置１００、旅行支援サーバ２００、および、旅行支援装置４００に関して、図示の各構成要素は機能概念的なものであり、必ずしも物理的に図示の如く構成されていることを要しない。
【０１４２】
例えば、端末装置１００、旅行支援サーバ２００、および、旅行支援装置４００の各装置が備える処理機能、特に制御部１０２、制御部２０２、および、制御部４０２にて行われる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現してもよく、また、ワイヤードロジックによるハードウェアとして実現してもよい。尚、プログラムは、後述する、コンピュータに本発明に係る方法を実行させるためのプログラム化された命令を含む、一時的でないコンピュータ読み取り可能な記録媒体に記録されており、必要に応じて端末装置１００、旅行支援サーバ２００、および、旅行支援装置４００に機械的に読み取られる。すなわち、ＲＯＭまたはＨＤＤなどの記憶部１０６、記憶部２０６、および、記憶部４０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭにロードされることによって実行され、ＣＰＵと協働して制御部を構成する。
【０１４３】
また、このコンピュータプログラムは、端末装置１００、旅行支援サーバ２００、および、旅行支援装置４００に対して任意のネットワーク３００を介して接続されたアプリケーションプログラムサーバに記憶されていてもよく、必要に応じてその全部または一部をダウンロードすることも可能である。
【０１４４】
また、本発明に係るプログラムを、コンピュータ読み取り可能な記録媒体に格納してもよく、また、プログラム製品として構成することもできる。ここで、この「記録媒体」とは、メモリーカード、ＵＳＢメモリ、ＳＤカード、フレキシブルディスク、光磁気ディスク、ＲＯＭ、ＥＰＲＯＭ、ＥＥＰＲＯＭ（登録商標）、ＣＤ−ＲＯＭ、ＭＯ、ＤＶＤ、および、Ｂｌｕ−ｒａｙ（登録商標）  Ｄｉｓｃ等の任意の「可搬用の物理媒体」を含むものとする。
【０１４５】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１４６】
記憶部１０６、記憶部２０６、および、記憶部４０６に格納される各種のデータベース等（旅行支援情報ファイル１０６ａ、旅行情報データベース２０６ａ、ネットワーク情報データベース２０６ｂ、交通情報データベース２０６ｃ、地図情報データベース２０６ｄ、案内情報データベース２０６ｅ、旅行情報データベース４０６ａ、ネットワーク情報データベース４０６ｂ、交通情報データベース４０６ｃ、地図情報データベース４０６ｄ、および、案内情報データベース４０６ｅ）は、ＲＡＭ、ＲＯＭ等のメモリ装置、ハードディスク等の固定ディスク装置、フレキシブルディスク、および、光ディスク等のストレージ手段であり、各種処理やウェブサイト提供に用いる各種のプログラム、テーブル、データベース、および、ウェブページ用ファイル等を格納する。
【０１４７】
また、端末装置１００、旅行支援サーバ２００、および、旅行支援装置４００は、既知のパーソナルコンピュータ、ワークステーション等の情報処理装置として構成してもよく、また、該情報処理装置に任意の周辺装置を接続して構成してもよい。また、端末装置１００、旅行支援サーバ２００、および、旅行支援装置４００は、該情報処理装置に本発明の方法を実現させるソフトウェア（プログラム、データ等を含む）を実装することにより実現してもよい。
【０１４８】
更に、装置の分散・統合の具体的形態は図示するものに限られず、その全部または一部を、各種の付加等に応じて、または、機能負荷に応じて、任意の単位で機能的または物理的に分散・統合して構成することができる。すなわち、上述した実施形態を任意に組み合わせて実施してもよく、実施形態を選択的に実施してもよい。
【産業上の利用可能性】
【０１４９】
以上詳述したように、本発明によれば、利用者にとって有効な旅行支援情報を提供し旅行計画を作成できる旅行支援システム、旅行支援サーバ、旅行支援方法、および、プログラムを提供することができるので、ナビゲーションを支援する情報機器や情報処理分野などの様々な分野において極めて有用である。
【符号の説明】
【０１５０】
１００  端末装置
１０２  制御部
１０２ａ  現在位置情報取得部
１０２ｂ  旅行計画情報送信部
１０２ｃ  旅行支援情報受信部
１０２ｄ  旅行支援情報表示部
１０４  通信制御インターフェース部
１０６  記憶部
１０６ａ  旅行支援情報ファイル
１０８  入出力制御インターフェース部
１１２  位置取得部
１１４  表示部
１１６  音声出力部
１１８  入力部
２００  旅行支援サーバ
２０２  制御部
２０２ａ  旅行計画情報受信部
２０２ｂ  訪問地情報取得部
２０２ｃ  旅行支援情報作成部
２０２ｄ  旅行支援情報送信部
２０２ｅ  現在位置情報取得部
２０２ｆ  表示情報生成部
２０２ｇ  出力制御部
２０４  通信制御インターフェース部
２０６  記憶部
２０６ａ  旅行情報データベース
２０６ｂ  ネットワーク情報データベース
２０６ｃ  交通情報データベース
２０６ｄ  地図情報データベース
２０６ｅ  案内情報データベース
３００  ネットワーク
４００  旅行支援装置
４０２  制御部
４０２ａ  現在位置情報取得部
４０２ｂ  旅行計画情報取得部
４０２ｃ  訪問地情報取得部
４０２ｄ  旅行支援情報作成部
４０２ｅ  旅行支援情報表示部
４０６  記憶部
４０６ａ  旅行情報データベース
４０６ｂ  ネットワーク情報データベース
４０６ｃ  交通情報データベース
４０６ｄ  地図情報データベース
４０６ｅ  案内情報データベース
４０８  入出力制御インターフェース部
４１２  位置取得部
４１４  表示部
４１６  音声出力部
４１８  入力部
５００  位置発信装置
【図１】
2020129007.tif 000003
【図２】
2020129007.tif 000004
【図３】
2020129007.tif 000005
【図４】
2020129007.tif 000006
【図５】
2020129007.tif 000007
【図６】
2020129007.tif 000008
【図７】
2020129007.tif 000009
【図８】
2020129007.tif 000010
【図９】
2020129007.tif 000011
【図１０】
2020129007.tif 000012
【図１１】
2020129007.tif 000013
【図１２】
2020129007.tif 000014
【図１３】
2020129007.tif 000015
【図１４】
2020129007.tif 000016
【図１５】
2020129007.tif 000017
【図１６】
2020129007.tif 000018
【図１７】
2020129007.tif 000019
【手続補正書】
【提出日】令和2年7月1日(2020.7.1)
【手続補正１】
【補正対象書類名】特許請求の範囲
【補正対象項目名】全文
【補正方法】変更
【補正の内容】
【特許請求の範囲】
【請求項１】
利用者が所望する訪問予定地に関する訪問予定地情報を含む旅行計画情報を取得する旅行計画情報取得手段と、
上記訪問予定地間に存在する、天候の違いによる天候訪問地に関する訪問地情報を取得する訪問地情報取得手段と、
上記旅行計画情報および上記訪問地情報に基づいて、当該旅行計画情報に含まれる上記訪問予定地、および、上記天候訪問地を含む訪問地の訪問順情報を作成する旅行支援情報作成手段と、
を備えたことを特徴とする、情報処理システム。
【請求項２】
請求項１に記載の情報処理システムであって、
上記訪問地情報は、
他の利用者の旅行情報に含まれることを特徴とする、情報処理システム。
【請求項３】
請求項１または２に記載の情報処理システムであって、
上記訪問地情報は、
移動手段情報を含むことを特徴とする、情報処理システム。
【請求項４】
端末装置に通信可能に接続されたサーバを、
上記端末装置から送信される、利用者が所望する訪問予定地に関する訪問予定地情報を含む旅行計画情報を取得する旅行計画情報取得手段、
上記訪問予定地間に存在する、天候の違いによる天候訪問地に関する訪問地情報を取得する訪問地情報取得手段、
上記旅行計画情報および上記訪問地情報に基づいて、当該旅行計画情報に含まれる上記訪問予定地、および、上記天候訪問地を含む訪問地の訪問順情報を作成する旅行支援情報作成手段、
として機能させることを特徴とする情報処理プログラム。
【請求項５】
通信可能に接続された複数の情報処理装置によって構成される情報処理システムを、
利用者が所望する訪問予定地に関する訪問予定地情報を含む旅行計画情報を取得する旅行計画情報取得手段と、
上記訪問予定地間に存在する、天候の違いによる天候訪問地に関する訪問地情報を取得する訪問地情報取得手段と、
上記旅行計画情報および上記訪問地情報に基づいて、当該旅行計画情報に含まれる上記訪問予定地、および、上記天候訪問地を含む訪問地の訪問順情報を作成する旅行支援情報作成手段と、
として機能させるための情報処理プログラムであって、
上記複数の情報処理装置のうち１つの情報処理装置を、
上記手段のうち１つまたは複数の手段として機能させるための情報処理プログラム。
【請求項６】
通信可能に接続された複数の情報処理装置によって構成される、請求項１から３のいずれか一つに記載の情報処理システムを機能させるための情報処理プログラムであって、
上記複数の情報処理装置のうち１つの情報処理装置を、
上記手段のうち１つまたは複数の手段として機能させるための情報処理プログラム。
【請求項７】
コンピュータを、
利用者が所望する訪問予定地に関する訪問予定地情報を含む旅行計画情報を取得する旅行計画情報取得手段、
上記訪問予定地間に存在する、天候の違いによる天候訪問地に関する訪問地情報を取得する訪問地情報取得手段、
上記旅行計画情報および上記訪問地情報に基づいて、当該旅行計画情報に含まれる上記訪問予定地、および、上記天候訪問地を含む訪問地の訪問順情報を作成する旅行支援情報作成手段、
として機能させることを特徴とする情報処理プログラム。
【請求項８】
旅行計画情報取得手段が、利用者が所望する訪問予定地に関する訪問予定地情報を含む旅行計画情報を取得するステップと、
訪問地情報取得手段が、上記訪問予定地間に存在する、天候の違いによる天候訪問地に関する訪問地情報を取得するステップと、
旅行支援情報作成手段が、上記旅行計画情報および上記訪問地情報に基づいて、当該旅行計画情報に含まれる上記訪問予定地、および、上記天候訪問地を含む訪問地の訪問順情報を作成するステップと、
を備えたことを特徴とする情報処理方法。